(57)【要約】【課題】光の照射による皮膚への影響が生じにくく、かつ、フェオメラニンを含む体毛の成長を抑制することができる体毛用光美容装置を提供する。【解決手段】体毛用光美容装置１０は、第１照射光ＺＡを照射する第１照射機能、および、第２照射光ＺＢを照射する第２照射機能を有する。第１照射光ＺＡは、４００ｎｍ〜８００ｎｍの波長範囲における強度の積分値が、第２照射光ＺＢにおける４００ｎｍ〜８００ｎｍの波長範囲における強度の積分値よりも大きい。第２照射光ＺＢは、８００ｎｍ〜１２００ｎｍの波長範囲における強度の積分値が、第１照射光ＺＡにおける８００ｎｍ〜１２００ｎｍの波長範囲における強度の積分値よりも大きい。【選択図】図１
2014212810.tif 000002
【特許請求の範囲】
【請求項１】
体毛用光美容装置であって、
前記体毛用光美容装置は、第１照射光を照射する第１照射機能、および、第２照射光を照射する第２照射機能を有し、
前記第１照射光は、４００ｎｍ〜８００ｎｍの波長範囲における強度の積分値が、前記第２照射光における４００ｎｍ〜８００ｎｍの波長範囲における強度の積分値よりも大きく、
前記第２照射光は、８００ｎｍ〜１２００ｎｍの波長範囲における強度の積分値が、前記第１照射光における８００ｎｍ〜１２００ｎｍの波長範囲における強度の積分値よりも大きい
体毛用光美容装置。
【請求項２】
体毛用光美容装置であって、
前記体毛用光美容装置は、第１照射光を照射する第１照射機能、および、第２照射光を照射する第２照射機能を有し、
前記第１照射光は、４００ｎｍ〜８００ｎｍの波長範囲における強度の積分値が、前記第２照射光における４００ｎｍ〜８００ｎｍの波長範囲における強度の積分値よりも大きく、
前記第２照射光は、８００ｎｍ〜１２００ｎｍの波長範囲における強度の積分値が４００ｎｍ〜８００ｎｍの波長範囲における強度の積分値よりも大きい
体毛用光美容装置。
【請求項３】
前記第２照射光は、８５０ｎｍ〜１０５０ｎｍの波長範囲における強度の積分値が４００ｎｍ〜８００ｎｍの波長範囲における強度の積分値よりも大きい
請求項１または２に記載の体毛用光美容装置。
【請求項４】
前記第２照射光は、４００ｎｍ〜８００ｎｍの波長範囲における強度の積分値が皮膚作用抑制値未満の大きさを取る
請求項１〜３のいずれか一項に記載の体毛用光美容装置。
【請求項５】
前記第２照射光は、８６０ｎｍ未満の波長範囲において有意なピークが存在しない
請求項１〜４のいずれか一項に記載の体毛用光美容装置。
【請求項６】
前記第１照射光は、４００ｎｍ〜５５０ｎｍの波長範囲における強度の積分値が５５０ｎｍ〜７００ｎｍの波長範囲における強度の積分値よりも小さい
請求項１〜４のいずれか一項に記載の体毛用光美容装置。
【請求項７】
前記第１照射光は、５５０ｎｍ〜８００ｎｍの波長範囲における強度の積分値が黒毛作用促進値以上の大きさを取る
請求項１〜６のいずれか一項に記載の体毛用光美容装置。
【発明の詳細な説明】
【技術分野】
【０００１】
本発明は、体毛用光美容装置に関する。
【背景技術】
【０００２】
特許文献１は、従来の体毛用光美容装置の一例を開示している。特許文献１の体毛用光美容装置は、皮膚に光を照射することにより、体毛の成長を抑制することを意図している。この体毛用光美容装置は、一例として、５５０ｎｍ〜１２００ｎｍの波長範囲を有する光を照射する。特許文献１の段落［００１５］は、「例えば、浅黒い肌の人には望ましくない、皮膚のメラニンが吸収しすぎることを防ぐために、例えば、８００乃至１２００ｎｍの間の近赤外などの長い波長を使用するのが好ましい。」旨の事項を開示している。
【先行技術文献】
【特許文献】
【０００３】
【特許文献１】特表２００７−５０２６４２号公報
【発明の概要】
【発明が解決しようとする課題】
【０００４】
特許文献１の体毛用光美容装置は、段落［００１５］の記載に基づいて、光を照射することにより、皮膚に好ましくない影響が生じることを抑制することができると考えられる。一方、本願発明者は、実験の結果から、特許文献１の体毛用光美容装置が次の課題を有することを見出した。
【０００５】
特許文献１の体毛用光美容装置は、上記段落［００１５］の記載に基づいて、８００ｎｍ〜１２００ｎｍの波長成分を主として含む光を照射した場合、フェオメラニンを含む体毛の成長を抑制する効果が低くなる。
【０００６】
本発明は、以上の背景をもとに発明されたものであり、光の照射による皮膚への影響が生じにくく、かつ、フェオメラニンを含む体毛の成長を抑制することができる体毛用光美容装置を提供することを目的とする。
【課題を解決するための手段】
【０００７】
本体毛用光美容装置の独立した一形態は、次の事項を有する。前記体毛用光美容装置は、第１照射光を照射する第１照射機能、および、第２照射光を照射する第２照射機能を有し、前記第１照射光は、４００ｎｍ〜８００ｎｍの波長範囲における強度の積分値が、前記第２照射光における４００ｎｍ〜８００ｎｍの波長範囲における強度の積分値よりも大きく、前記第２照射光は、８００ｎｍ〜１２００ｎｍの波長範囲における強度の積分値が、前記第１照射光における８００ｎｍ〜１２００ｎｍの波長範囲における強度の積分値よりも大きい。
【０００８】
本体毛用光美容装置は、第１照射機能および第２照射機能を有するため、光の照射動作として複合照射動作を形成することができる。複合照射動作は、第１照射光および第２照射光を段階的に照射する動作を示し、前段において第１照射光を照射し、後段において第２照射光を照射する。本体毛用光美容装置は、複合照射動作により生体に光を照射することにより、好ましい美容効果を奏する。好ましい美容効果は、光の照射による皮膚への影響が生じにくく、かつ、フェオメラニンを含む体毛の成長を抑制する効果を示す。
【０００９】
本願発明者は、本体毛用光美容装置の複合照射動作が好ましい美容効果を奏することを実験により確認した。本体毛用光美容装置が好ましい美容効果を奏する理由は、次のように考えられる。なお、以下の説明は、本願発明者が実験の結果に基づいて考察した事項を示し、本体毛用光美容装置により好ましい美容効果が得られる理由を断定することを意図していない。
【００１０】
第２照射光は、４００ｎｍ〜８００ｎｍの波長範囲における強度の積分値が、第１照射光よりも小さい。一方、酸化ヘモグロビンは、短い波長の光を吸収しやすい。このため、第２照射光は、酸化ヘモグロビンに吸収されやすい波長の光エネルギーが少ない。このため、第２照射光は、第１照射光よりも皮膚に影響を及ぼしにくい。
【００１１】
第２照射光は、８００ｎｍ〜１２００ｎｍの波長範囲における強度の積分値が、第１照射光における８００ｎｍ〜１２００ｎｍの波長範囲における強度の積分値よりも大きい。一方、フェオメラニンは、光の波長が長くなるにつれて光を吸収しにくくなる。フェオメラニンが有するこの特徴からすると、第２照射光は、フェオメラニンを含む体毛の成長を抑制しにくいことが予測される。しかし、実験の結果は、第２照射光を照射することにより、フェオメラニンを含む体毛の成長が抑制されることを示した。その理由は、次のように考えられる。
【００１２】
第１照射光は、４００ｎｍ〜８００ｎｍの波長範囲における強度の積分値が、第２照射光における４００ｎｍ〜８００ｎｍの波長範囲における強度の積分値よりも大きい。メラニン産生細胞は、短い波長の光を吸収しやすい。このため、第１照射光は、メラニン産生細胞を活性化させやすい。メラニン産生細胞は、活性化の度合が高くなることにより、ユーメラニンを産生する量が多くなる。このため、体毛に含まれるユーメラニンの量は、第１照射光が照射されることにより増加する。なお、本願発明者は、第１照射光を生体に照射することにより、体毛に含まれるユーメラニンの量が増加することを実験により確認した。この実験は、フェオメラニンを多く含む体毛を有する人を被験者とした。
【００１３】
ユーメラニンは、４００ｎｍ〜１２００ｎｍの波長範囲において、フェオメラニンよりも光を吸収しやすい。このため、ユーメラニンの量が増加した被験者の体毛は、ユーメラニンの量が増加する前と比較して、長い波長の光を吸収しやすくなる。すなわち、被験者の体毛は、第１照射光が照射されることにより、８００ｎｍ〜１２００ｎｍの波長範囲の光を吸収しやすくなる。このため、複合照射動作は、第２照射光を照射することにより、フェオメラニンを含む体毛の成長を抑制することができると考えられる。
【発明の効果】
【００１４】
本体毛用光美容装置は、光の照射による皮膚への影響が生じにくく、かつ、フェオメラニンを含む体毛の成長を抑制することができる。
【図面の簡単な説明】
【００１５】
【図１】（ａ）は、第１実施形態の体毛用光美容装置のブロック構成を示す。（ｂ）は、第１実施形態の体毛用光美容装置のブロック構成を示す。
【図２】（ａ）は、第１実施形態の体毛用光美容装置の一形態の外観を示す。（ｂ）は、第１実施形態の体毛用光美容装置の一形態の断面構造を示す。
【図３】は、光の波長と酸化ヘモグロビンの吸光度との関係を示す。
【図４】は、光の波長と体毛の光の吸収率との関係を示す。
【図５】は、第１実施形態の第１照射光の光源スペクトルを示す。
【図６】は、第１実施形態の第２照射光の光源スペクトルを示す。
【図７】は、光の照射動作と美容作用および皮膚作用との関係を示す。
【図８】は、第２実施形態の第１照射光の光源スペクトルを示す。
【図９】は、第３実施形態の第１照射光の光源スペクトルを示す。
【図１０】は、第４実施形態の第２照射光の光源スペクトルを示す。
【図１１】は、第５実施形態の第２照射光の光源スペクトルを示す。
【図１２】は、比較例の比較照射光の光源スペクトルを示す。
【発明を実施するための形態】
【００１６】
〔ａ〕本体毛用光美容装置の独立した一形態に従属する一形態は、次の事項を有する。前記体毛用光美容装置は、第１照射光を照射する第１照射機能、および、第２照射光を照射する第２照射機能を有する。前記第１照射光は、４００ｎｍ〜８００ｎｍの波長範囲における強度の積分値が、前記第２照射光における４００ｎｍ〜８００ｎｍの波長範囲における強度の積分値よりも大きい。前記第２照射光は、８００ｎｍ〜１２００ｎｍの波長範囲における強度の積分値が４００ｎｍ〜８００ｎｍの波長範囲における強度の積分値よりも大きい。
【００１７】
〔ｂ〕本体毛用光美容装置の独立した一形態に従属する一形態は、次の事項を有する。前記第２照射光は、８５０ｎｍ〜１０５０ｎｍの波長範囲における強度の積分値が４００ｎｍ〜８００ｎｍの波長範囲における強度の積分値よりも大きい。
【００１８】
〔ｃ〕本体毛用光美容装置の独立した一形態に従属する一形態は、次の事項を有する。前記第２照射光は、４００ｎｍ〜８００ｎｍの波長範囲における強度の積分値が皮膚作用抑制値未満の大きさを取る。
【００１９】
〔ｄ〕本体毛用光美容装置の独立した一形態に従属する一形態は、次の事項を有する。前記第２照射光は、８６０ｎｍ未満の波長範囲において有意なピークが存在しない。
〔ｅ〕本体毛用光美容装置の独立した一形態に従属する一形態は、次の事項を有する。前記第１照射光は、４００ｎｍ〜５５０ｎｍの波長範囲における強度の積分値が５５０ｎｍ〜７００ｎｍの波長範囲における強度の積分値よりも小さい。
【００２０】
〔ｆ〕本体毛用光美容装置の独立した一形態に従属する一形態は、次の事項を有する。前記第１照射光は、５５０ｎｍ〜８００ｎｍの波長範囲における強度の積分値が黒毛作用促進値以上の大きさを取る。
【００２１】
（第１実施形態）
図１は、体毛用光美容装置１０の一形態のブロック構成を示している。図２（ａ）は、体毛用光美容装置１０の外観構造の一例を示している。図２（ｂ）は、体毛用光美容装置１０の断面構造の一例を示している。なお、体毛用光美容装置１０の基本構成に関する説明は、主として図１を参照する。
【００２２】
体毛用光美容装置１０は、光を生体に照射することにより、生体の美容作用を促進させることに貢献する。体毛用光美容装置１０は、本体ユニット２０、光源ユニット３０、切替部４０、電源部５０、および、制御部６０を有する。
【００２３】
本体ユニット２０は、手持型の形態を有する。本体ユニット２０は、複数の構成部品を有する。本体ユニット２０は、個別に形成された複数の構成部品が一体化された構造を有する。本体ユニット２０の複数の構成部品は、少なくとも、本体ハウジング２１、本体側コネクター２２、および、電源スイッチ２３を含む。
【００２４】
本体ハウジング２１は、一例として、樹脂材料により形成されている。本体ハウジング２１は、縦長形状を有する。本体ハウジング２１は、内部に空間を有する。本体ハウジング２１は、内部の空間に電源部５０および制御部６０を収容している。
【００２５】
本体側コネクター２２は、本体ハウジング２１と結合されている。本体側コネクター２２は、電源部５０と電気的に接続されている。本体側コネクター２２は、光源側コネクター３２との機械的な結合および分離が可能な構造を有する。本体側コネクター２２は、光源側コネクター３２と機械的に結合されているとき、光源側コネクター３２と電気的に接続される。
【００２６】
電源スイッチ２３は、本体ハウジング２１上に配置されている。電源スイッチ２３は、押しボタンの形態を有する。電源スイッチ２３は、操作される毎に制御部６０に操作信号を入力する。
【００２７】
光源ユニット３０は、本体ユニット２０との結合および分離が可能なアタッチメントの形態を有する。光源ユニット３０は、複数の構成部品を有する。光源ユニット３０の複数の構成部品は、少なくとも、光源ハウジング３１、光源側コネクター３２、光源３３、リフレクター３４、レンズ３５、および、フィルター部３６を含む。光源ユニット３０は、個別に形成された複数の構成部品が一体化された構造を有する。光源ユニット３０は、機能空間としての透過空間３０Ａを有する。光源ユニット３０は、フィルター部３６の種類に応じて、皮膚に照射する光の光源スペクトルを変更することができる。
【００２８】
光源ハウジング３１は、一例として、樹脂材料により形成されている。光源ハウジング３１は、円柱形状に類似する形状を有する。光源ハウジング３１は、内部に空間を有する。光源ハウジング３１は、内部の空間に光源３３、リフレクター３４、および、レンズ３５を収容している。光源ハウジング３１は、異物侵入抑制構造を有する。異物侵入抑制構造は、外部の埃等が光源ハウジング３１の内部の空間に侵入することを抑制する。光源ハウジング３１は、特定の波長範囲の光を吸収する。光源ハウジング３１は、一例として、５５０ｎｍ未満の波長範囲の光を吸収する。
【００２９】
光源側コネクター３２は、光源ハウジング３１と結合されている。光源側コネクター３２は、光源３３と電気的に接続されている。光源側コネクター３２は、本体側コネクター２２との機械的な結合および分離が可能な構造を有する。光源側コネクター３２は、本体側コネクター２２と機械的に結合されているとき、本体側コネクター２２と電気的に接続される。
【００３０】
光源３３は、光源ハウジング３１の内部の空間に配置されている。光源３３は、光源ハウジング３１と結合されている。光源３３は、光源側コネクター３２と電気的に接続されている。光源３３は、一例として、キセノンランプ、レーザー、ＬＥＤ、または、有機ＥＬを有する。光源３３としてのキセノンランプは、一例として、キセノンフラッシュランプの形態を有する。光源３３としてのキセノンフラッシュランプは、一例として、４００ｎｍ〜１２００ｎｍの波長範囲の成分を含む光を照射する。
【００３１】
リフレクター３４は、高い反射率を有する材料により形成されている。リフレクター３４は、一例として、金属材料、樹脂材料、または、セラミックにより形成される。リフレクター３４は、透過空間３０Ａを形成している。
【００３２】
リフレクター３４は、表面処理構造を有する。表面処理構造は、光源３３から照射された光の反射率を高める。表面処理構造は、一例として、鏡面処理された面、金属薄膜が塗布された面、または、金属薄膜が蒸着された面を有する。
【００３３】
リフレクター３４は、光源ハウジング３１の内周面と結合されている。リフレクター３４は、光源３３から照射された光を光源ハウジング３１の開口部に向けて反射する。リフレクター３４は、誘電体薄膜を有する。誘電体薄膜は、特定の波長範囲の光を反射する。誘電体薄膜は、一例として、美容作用の促進に貢献する波長の光を反射する。リフレクター３４は、一例として、５５０ｎｍ未満の波長範囲の光を吸収する。
【００３４】
レンズ３５は、円形状に類似する形状を有する。レンズ３５は、特定の波長範囲において光の透過率が高い材料により形成されている。レンズ３５は、一例として、可視光の波長範囲から近赤外光の波長範囲までの光の透過率が高い材料により形成される。レンズ３５は、一例として、アクリル、ポリカーボネート、または、ガラスにより形成される。
【００３５】
レンズ３５は、光源ハウジング３１の内部の空間に配置されている。レンズ３５は、光源ハウジング３１に結合されている。レンズ３５は、リフレクター３４により反射された光を光源ハウジング３１の外部に向けて拡散する。レンズ３５は、エネルギー密度均一化構造を有する。エネルギー密度均一化構造は、光源ハウジング３１の開口部から所定の距離を隔てた外部の位置において光エネルギー密度を均一化するための構造を有する。
【００３６】
フィルター部３６は、光の吸収特性が互いに異なる第１フィルター３７および第２フィルター３８を有する。フィルター部３６は、第１フィルター３７および第２フィルター３８の一方をレンズ３５に重ね合わせる。フィルター部３６は、切替部４０により駆動されることにより、レンズ３５に重ね合わせるフィルターを変更する。フィルター部３６は、初期状態において第１フィルター３７をレンズ３５に重ね合わせる。
【００３７】
第１フィルター３７は、主としてガラスにより形成されている。第１フィルター３７は、円形状に類似する形状を有する。第１フィルター３７は、レンズ３５に対して光源ハウジング３１の外部側に配置される。第１フィルター３７は、特定の波長範囲の光を吸収する。第１フィルター３７は、一例として、５５０ｎｍ未満の波長範囲の光を吸収することを意図して設計されている。第１フィルター３７は、光吸収構造を有する。
【００３８】
第２フィルター３８は、主としてガラスにより形成されている。第２フィルター３８は、円形状に類似する形状を有する。第２フィルター３８は、レンズ３５に対して光源ハウジング３１の外部側に配置される。第２フィルター３８は、特定の波長範囲の光を吸収する。第２フィルター３８は、一例として、８００ｎｍ未満の波長範囲の光を吸収することを意図して設計されている。第２フィルター３８は、光吸収構造を有する。
【００３９】
光吸収構造は、一例として、ガラス基材に光吸収成分が混ぜられた構造を有する。光吸収成分は、一例として、金属微粒子または金属微粒子の酸化物を含む。金属微粒子の金属の種類は、一例として、金、銀、銅、鉛、亜鉛、コバルト、または、マンガンを含む。
【００４０】
光吸収構造は、別の一例として、ガラス基材の表面に光吸収薄膜が形成された構造を有する。光吸収薄膜は、一例として、金属薄膜、誘電体薄膜、または、金属および誘電体が混合された混合薄膜を含む。金属薄膜の金属の種類は、一例として、酸化チタン、酸化ジルコニウム、または、酸化アルミニウムを含む。光吸収薄膜は、単層構造または多層構造を有する。光吸収薄膜の多層構造は、一例として、真空蒸着により形成される。
【００４１】
光源ハウジング３１、リフレクター３４、および、フィルター部３６は、５５０ｎｍ未満の波長範囲の光を吸収する。このため、光源ハウジング３１およびリフレクター３４の少なくとも一方が５５０ｎｍ未満の波長の光を吸収しないと仮定した構成と比較して、フィルター部３６の温度の上昇が抑制される。
【００４２】
切替部４０は、切替駆動部４１および切替機構部４２を有する。切替部４０は、レンズ３５に重ね合わせるフィルターの種類を変更する。切替駆動部４１は、本体ハウジング２１の内部の空間に配置されている。切替駆動部４１は、切替機構部４２を駆動する力を切替機構部４２に入力する。切替機構部４２は、光源ハウジング３１の内部の空間に配置されている。切替機構部４２は、第１フィルター３７および第２フィルター３８を移動させる。
【００４３】
電源部５０は、本体ハウジング２１の内部の空間に収容されている。電源部５０は、本体ハウジング２１に内蔵された１次電池あるいは２次電池の電力、または、外部電源から供給された電力を体毛用光美容装置１０の電気ブロックに供給する。体毛用光美容装置１０の電気ブロックは、少なくとも、光源３３、切替駆動部４１、および、制御部６０を含む。
【００４４】
制御部６０は、本体ハウジング２１の内部の空間に収容されている。制御部６０は、電源スイッチ２３から入力された操作信号に基づいて、光源３３および切替駆動部４１の制御を開始する。制御部６０は、光源３３から照射される光エネルギーの量を制御する。制御部６０は、切替駆動部４１を制御することにより、レンズ３５に重ね合わせるフィルターの種類を変更する。
【００４５】
図１（ａ）は、第１フィルター３７がレンズ３５に重ね合わせられた状態を示している。体毛用光美容装置１０は、レンズ３５および第１フィルター３７が互いに重ね合わせられているとき、第１照射機能を形成する。光源３３は、レンズ３５および第１フィルター３７が重ね合わせられた状態において、制御部６０から入力される駆動信号に基づいて光を照射する。
【００４６】
光源３３から照射された光は、透過空間３０Ａ、レンズ３５、および、第１フィルター３７の順に各部分を透過する。レンズ３５および第１フィルター３７を透過した光（以下、「第１照射光ＺＡ」）は、生体に照射される。
【００４７】
第１照射光ＺＡは、好ましくは５５０ｎｍ〜１２００ｎｍの波長範囲の成分を含み、５５０ｎｍ未満の波長範囲の成分を含まない。第１照射光ＺＡは、一例として、図５に示される光源スペクトルを有する。第１照射光ＺＡは、５５０ｎｍ未満の波長範囲の成分を含むこともある。この場合、５５０ｎｍ未満の波長範囲の成分は、５５０ｎｍ〜１２００ｎｍの波長範囲に含まれる成分と比較して、光エネルギーの量が十分に小さい。このため、５５０ｎｍ未満の波長範囲の成分は、体毛および皮膚等に及ぼす影響が小さい。
【００４８】
図１（ｂ）は、第２フィルター３８がレンズ３５に重ね合わせられた状態を示している。体毛用光美容装置１０は、レンズ３５および第２フィルター３８が互いに重ね合わせられているとき、第２照射機能を形成する。光源３３は、レンズ３５および第２フィルター３８が重ね合わせられた状態において、制御部６０から入力される駆動信号に基づいて光を照射する。
【００４９】
光源３３から照射された光は、透過空間３０Ａ、レンズ３５、および、第２フィルター３８の順に各部分を透過する。レンズ３５および第２フィルター３８を透過した光（以下、「第２照射光ＺＢ」）は、生体に照射される。
【００５０】
第２照射光ＺＢは、好ましくは８００ｎｍ〜１２００ｎｍの波長範囲の成分を含み、８００ｎｍ未満の波長範囲の成分を含まない。第２照射光ＺＢは、一例として、図６に示される光源スペクトルを有する。第２照射光ＺＢは、８００ｎｍ未満の波長範囲の成分を含むこともある。この場合、８００ｎｍ未満の波長範囲の成分は、８００ｎｍ〜１２００ｎｍの波長範囲に含まれる成分と比較して、光エネルギーの量が十分に小さい。このため、８００ｎｍ未満の波長範囲の成分は、体毛および皮膚等に及ぼす影響が小さい。
【００５１】
体毛用光美容装置１０は、以下の動作を形成する。
体毛用光美容装置１０は、光の照射動作として、第１照射動作、第２照射動作、および、複合照射動作を有する。第１照射動作は、１回の照射動作において第１照射光ＺＡのみを照射する。第２照射動作は、１回の照射動作において第２照射光ＺＢのみを照射する。複合照射動作は、前段および後段に分けて光を照射する。複合照射動作は、前段において第１照射光ＺＡを照射し、後段において第２照射光ＺＢを照射する。複合照射動作は、後段の照射が終了した後に１回の照射動作を終了する。体毛用光美容装置１０は、制御部６０の制御に基づいて、複合照射動作による光の照射動作を形成する。
【００５２】
電源スイッチ２３は、使用者により操作される。電源スイッチ２３は、押し下げ操作されたとき、制御部６０に操作信号を入力する。制御部６０は、電源スイッチ２３の１回の操作に基づいて、１回の光照射制御を実行する。制御部６０は、光照射制御において次のとおり光源３３および切替駆動部４１を制御する。
【００５３】
制御部６０は、操作信号に基づいて、光照射制御を開始する。制御部６０は、第１制御ステップにおいて、光源３３に前段の光照射を実行させる。制御部６０は、光源３３の前段の光照射が完了した後、第２制御ステップに移行する。制御部６０は、第２制御ステップにおいて、切替駆動部４１を駆動させることにより、レンズ３５に重ね合わせるフィルターを第１フィルター３７から第２フィルター３８に変更する。制御部６０は、フィルターの変更が完了した後、第３制御ステップに移行する。制御部６０は、第３制御ステップにおいて、光源３３に後段の光照射を実行させる。制御部６０は、光源３３の後段の光照射が完了した後、第４制御ステップに移行する。制御部６０は、第４制御ステップにおいて、切替駆動部４１を駆動させることにより、レンズ３５に重ね合わせるフィルターを第２フィルター３８から第１フィルター３７に変更する。制御部６０は、フィルターの変更が完了した後、光照射制御を終了する。
【００５４】
制御部６０は、光照射制御において、光の照射条件を設定することができる。光の照射条件は、一例として、単位照射エネルギー、照射時間、および、光エネルギー密度を含む。単位照射エネルギーは、光源３３の１回の照射動作において、体毛用光美容装置１０が出力する光エネルギーの量を示す。照射時間は、光源３３の１回の照射動作において、光源３３が光を照射する時間を示す。光エネルギー密度は、光源３３の１回の照射動作において、体毛用光美容装置１０が出力する光のエネルギー密度を示す。制御部６０は、光源３３に入力する電圧および電流の少なくとも一方を制御することにより、単位照射エネルギー、照射時間、および、光エネルギー密度の少なくとも１つを調整する。
【００５５】
制御部６０は、一例として、複合照射動作における第１照射光ＺＡの光照射条件、および、複合照射動作における第２照射光ＺＢの光照射条件を同じ内容に設定する。制御部６０は、一例として、１回の照射動作あたりの照射時間を６００μｓ〜２ｍｓの範囲に設定する。制御部６０は、一例として、光エネルギー密度を０．２〜１．５（Ｊ／ｃｍ２）の範囲に設定する。光エネルギー密度は、分光放射照度に基づいて規定される。単位照射エネルギーは、光エネルギー密度および照射時間に基づいて規定される。
【００５６】
本願発明者は、生体に入力する光エネルギーと美容作用、皮膚作用、および、黒毛作用との関係を確認する実験を実施した。本願発明者は、実験から得られた知見に基づいて、好ましい美容効果を奏する光の照射動作を見出した。本願発明者は、この照射動作の１つとして、体毛用光美容装置１０が有する複合照射動作を規定した。複合照射動作は、美容作用、皮膚作用、および、黒毛作用に関する好ましい状態を生じさせることにより、好ましい美容効果を奏することに寄与していると考えられる。
【００５７】
美容作用は、生体の抑毛作用を含む。抑毛は、生体における体毛の再生および成長が抑制される現象を示す。抑毛作用は、抑毛を促進させる生体の作用を示す。生体は、光の照射により抑毛作用が促進されるにつれて、抑毛が生じやすくなる。
【００５８】
美容作用は、生体の脱毛作用を含む。脱毛は、生体から体毛が抜ける現象を示す。脱毛作用は、脱毛を促進させる生体の作用を示す。生体は、光の照射により脱毛作用が促進されるにつれて、脱毛が生じやすくなる。
【００５９】
皮膚作用は、皮膚の好ましくない状態を形成する生体の作用を示す。生体は、皮膚作用が促進されることにより、一例として、皮膚の痛み、皮膚の炎症、または、皮膚の熱傷が生じやすくなる。生体に照射される光は、皮膚を保護する側面から、皮膚作用を促進させにくいことが好ましい。生体は、皮膚作用が促進されにくくなるにつれて、好ましくない状態を形成しにくくなる。
【００６０】
黒毛作用は、体毛に含まれるユーメラニンの量を増加させる生体の作用を示す。生体は、光の照射により黒毛作用が促進されるにつれて、ユーメラニンの量を増加させる度合が大きくなる。黒毛作用は、ユーメラニンを多く含む体毛を有する人、および、フェオメラニンを多く含む体毛を有する人のいずれにおいても生じる。
【００６１】
本願発明者は、体毛用光美容装置１０の複合照射動作を見出すにあたり、酸化ヘモグロビンの吸光スペクトル、および、体毛の光の吸収率について検討した。以下の説明は、本願発明者が検討した事項、および、検討により得られた知見を示す。
【００６２】
図３は、光の波長、および、酸化ヘモグロビンの吸光度の関係を示している。
酸化ヘモグロビンは、一例として、図３に示される吸光スペクトルを有する。酸化ヘモグロビンは、４００ｎｍ〜７００ｎｍの波長範囲に３つの吸光ピークを有する。３つの吸光ピークは、第１吸光ピーク、第２吸光ピーク、および、第３吸光ピークを示す。
【００６３】
第１吸光ピークは、４００ｎｍ〜４４０ｎｍの波長範囲に現れる。第１吸光ピークは、一例として、４２０ｎｍの波長を有する。第２吸光ピークは、５３０ｎｍ〜５７０ｎｍの波長範囲に現れる。第２吸光ピークは、一例として、５４０ｎｍの波長を有する。第３吸光ピークは、５６０ｎｍ〜６００ｎｍの波長範囲に現れる。第３吸光ピークは、一例として、５８０ｎｍの波長を有する。
【００６４】
本願発明者は、酸化ヘモグロビンにおける４００ｎｍ〜７００ｎｍの波長範囲に３種類の波長範囲を規定し、各波長範囲における酸化ヘモグロビンの吸光度の積分値（以下、「吸光度積分値」）について検討した。３種類の波長範囲は、第１基準波長範囲、第２基準波長範囲、および、第３基準波長範囲を示す。第１基準波長範囲は、４００ｎｍ〜５００ｎｍの波長範囲を示す。第２基準波長範囲は、５００ｎｍ〜６００ｎｍの波長範囲を示す。第３基準波長範囲は、６００ｎｍ〜７００ｎｍの波長範囲を示す。
【００６５】
第１基準波長範囲の吸光度積分値は、３つの吸光度積分値のうちの最大値を有する。第２吸光度積分値は、３つの吸光度積分値のうちの中間の値を有する。第３吸光度積分値は、３つの吸光度積分値のうちの最小値を有する。このため、酸化ヘモグロビンは、光の波長が短くなるにつれて光を吸収しやすくなる。
【００６６】
図４は、光の波長、および、体毛の光の吸収率の関係を示している。
体毛は、２種類の色素の少なくとも一方を含む。１つめの色素は、ユーメラニンを示す。２つめの色素は、フェオメラニンを示す。ユーメラニンは、黒褐色を有する。フェオメラニンは、橙赤色を有する。体毛の色は、ユーメラニンおよびフェオメラニンの比率（以下、「メラニン比率」）に応じて変化する。
【００６７】
髪は、色に応じて主に４種類に分類される。４種類の髪は、黒髪、栗毛、金髪、および、赤毛を示す。４種類の髪は、次のとおり２種類の色素の含有量が異なる。黒髪は、ユーメラニンの含有量が最も多く、フェオメラニンの含有量が最も少ない。黒髪は、ユーメラニンを多く含む。黒髪は、フェオメラニンをほとんど含まない、または、フェオメラニンを完全に含まない。栗毛は、ユーメラニンの含有量が２番目に多く、フェオメラニンの含有量が２番目に少ない。金髪は、ユーメラニンの含有量が２番目に少なく、フェオメラニンの含有量が２番目に多い。赤毛は、ユーメラニンの含有量が最も少なく、フェオメラニンの含有量が最も多い。栗毛、金髪、および、赤毛は、フェオメラニンを多く含む。
【００６８】
本願発明者は、所定のメラニン比率毎に光の吸収率を確認した。本願発明者は、この実験により、図４に示されるグラフおよび以下に示す知見を得た。なお、図４は、７００ｎｍまでの光の吸収率を示しているが、７００ｎｍよりも長い波長範囲においても概ね同様の傾向が確認された。
【００６９】
図４の各曲線は、上から順に「１００：０」、「８０：２０」、「６０：４０」、「４０：６０」、「２０：８０」、および、「０：１００」のメラニン比率を有する。光の吸収率は、光が物体を透過することにより、光の強度が変化した度合を示す。光の吸収率は、吸光度の測定方法に準じた測定方法により測定することができる。光の吸収率は、一例として、分光光度計により入射光の強度および反射光の強度を測定し、測定した入射光の強度および反射光の強度の比率として算出することができる。
【００７０】
ユーメラニンの光の吸収率は、フェオメラニンの光の吸収率よりも大きい。ユーメラニンの光の吸収率は、波長の影響を受けにくい。ユーメラニンの光の吸収率は、一例として、４００ｎｍ〜７００ｎｍの波長範囲において略一定の大きさを示す。
【００７１】
フェオメラニンの光の吸収率は、ユーメラニンの光の吸収率と比較して、波長の影響を受けやすい。フェメラニンの光の吸収率は、波長が長くなるにつれて大きく低下する。フェオメラニンの光の吸収率は、一例として、７００ｎｍにおいて４００ｎｍにおける値のおよそ半分の大きさを示す。
【００７２】
体毛は、メラニン比率に応じて光の吸収率が変化する。体毛の光の吸収率は、ユーメラニンの比率が高くなるにつれて波長の影響を受けにくくなる。体毛の光の吸収率は、フェオメラニンの比率が高くなるにつれて波長の影響を受けやすくなる。体毛は、フェオメラニンの比率が高くなるにつれて光の吸収率が小さくなる。体毛は、フェオメラニンの比率が高くなるにつれて、波長の増加に対する光の吸収率の減少度合が大きくなる。
【００７３】
美容作用は、体毛のメラニンに吸収される光エネルギーの量と相関を有する。美容作用は、体毛のメラニンに吸収される光エネルギーの量が多くなるにつれて促進されやすくなる。長い波長の光は、フェオメラニンに吸収されにくい。このため、長い波長の光は、フェオメラニンを多く含む体毛の美容作用を促進させにくい。短い波長の光は、ユーメラニンおよびフェオメラニンの双方に吸収されやすい。このため、美容作用を促進させることに主眼をおいた場合、短い波長の光エネルギーが多いことが好ましい。
【００７４】
皮膚作用は、酸化ヘモグロビンに吸収される光エネルギーの量と相関を有する。皮膚作用は、酸化ヘモグロビンに吸収される光エネルギーの量が多くなるにつれて促進されやすくなる。酸化ヘモグロビンは、短い波長の光を吸収しやすい。このため、皮膚作用の促進を抑制することに主眼をおいた場合、短い波長の光エネルギーが少ないことが好ましい。
【００７５】
以上の事項は、次のとおり要約することができる。生体に照射される光は、長い波長の光エネルギーの量が多い場合、皮膚作用を促進させにくく、フェオメラニンを多く含む体毛の美容作用を促進させにくい。生体に照射される光は、短い波長の光エネルギーの量が多い場合、皮膚作用を促進させやすく、フェオメラニンを多く含む体毛の美容作用を促進させやすい。
【００７６】
本願発明者は、以上の事項に基づいて、好ましい美容効果を得るためには、少なくとも２種類の光を生体に照射することが好ましいと考え、その結果から複合照射動作に想到した。本願発明者は、複合照射動作を形成する２種類の好ましい光源スペクトルを検討し、一例として、図５および図６に示される光源スペクトルを得た。
【００７７】
図５は、第１照射光ＺＡの光源スペクトルの一例を示している。図６は、第２照射光ＺＢの光源スペクトルの一例を示している。図５および図６の光源スペクトルは、実質的に「０」とみなせる強度を「０」として表現している。
【００７８】
体毛用光美容装置１０は、一例として、光の強度を分光放射照度（μＷ／ｃｍ２／ｎｍ）により規定している。第１照射光ＺＡおよび第２照射光ＺＢは、一定の分光放射照度以上の大きさを有する波長成分、および、一定の分光放射照度未満の大きさを有する波長成分を含む。一定の分光放射照度以上の大きさを有する波長成分は、美容作用、皮膚作用、および、黒毛作用の少なくとも１つの作用に対して、有意な影響を及ぼす可能性が高い。一定の分光放射照度未満の大きさを有する波長成分は、美容作用、皮膚作用、および、黒毛作用に対して、有意な影響を及ぼす可能性が低い。
【００７９】
体毛用光美容装置１０は、４００ｎｍ〜１２００ｎｍの波長範囲において、８００ｎｍの波長を境界として２種類の波長範囲を規定している。２種類の波長範囲は、短波長範囲ＷＳおよび長波長範囲ＷＬを示す。短波長範囲ＷＳは、４００ｎｍ〜８００ｎｍの波長範囲を示す。長波長範囲ＷＬは、８００ｎｍ〜１２００ｎｍの波長範囲を示す。
【００８０】
短波長範囲ＷＳにおける「短波長」の用語は、長波長範囲ＷＬとの相対的な関係において波長が短いことを意味している。長波長範囲ＷＬにおける「長波長」の用語は、短波長範囲ＷＳとの相対的な関係において波長が長いことを意味している。すなわち、短波長範囲ＷＳの「短波長」の用語、および、長波長範囲ＷＬの「長波長」の用語は、各波長範囲における相対的な波長の長さを区別するために用いられている。
【００８１】
体毛用光美容装置１０は、短波長範囲ＷＳにおいて、１００ｎｍを区分波長単位として４種類の波長範囲を規定している。４種類の波長範囲は、第１短波長範囲ＷＳ１０、第２短波長範囲ＷＳ２０、第３短波長範囲ＷＳ３０、および、第４短波長範囲ＷＳ４０を示す。第１短波長範囲ＷＳ１０は、４００ｎｍ〜５００ｎｍの波長範囲を示す。第２短波長範囲ＷＳ２０は、５００ｎｍ〜６００ｎｍの波長範囲を示す。第３短波長範囲ＷＳ３０は、６００ｎｍ〜７００ｎｍの波長範囲を示す。第４短波長範囲ＷＳ４０は、７００ｎｍ〜８００ｎｍの波長範囲を示す。
【００８２】
体毛用光美容装置１０は、第１短波長範囲ＷＳ１０において、５０ｎｍを区分波長単位として２種類の波長範囲を規定している。２種類の波長範囲は、第１短波長前段範囲ＷＳ１１および、第１短波長後段範囲ＷＳ１２を示す。第１短波長前段範囲ＷＳ１１は、４００ｎｍ〜４５０ｎｍの波長範囲を示す。第１短波長後段範囲ＷＳ１２は、４５０ｎｍ〜５００ｎｍの波長範囲を示す。
【００８３】
体毛用光美容装置１０は、第２短波長範囲ＷＳ２０において、５０ｎｍを区分波長単位として２種類の波長範囲を規定している。２種類の波長範囲は、第２短波長前段範囲ＷＳ２１および第２短波長後段範囲ＷＳ２２を示す。第２短波長前段範囲ＷＳ２１は、５００ｎｍ〜５５０ｎｍの波長範囲を示す。第２短波長後段範囲ＷＳ２２は、５５０ｎｍ〜６００ｎｍの波長範囲を示す。
【００８４】
体毛用光美容装置１０は、第３短波長範囲ＷＳ３０において、５０ｎｍを区分波長単位として２種類の波長範囲を規定している。２種類の波長範囲は、第３短波長前段範囲ＷＳ３１および第３短波長後段範囲ＷＳ３２を示す。第３短波長前段範囲ＷＳ３１は、６００ｎｍ〜６５０ｎｍの波長範囲を示す。第３短波長後段範囲ＷＳ３２は、６５０ｎｍ〜７００ｎｍの波長範囲を示す。
【００８５】
体毛用光美容装置１０は、第４短波長範囲ＷＳ４０において、５０ｎｍを区分波長単位として２種類の波長範囲を規定している。２種類の波長範囲は、第４短波長前段範囲ＷＳ４１および第４短波長後段範囲ＷＳ４２を示す。第４短波長前段範囲ＷＳ４１は、７００ｎｍ〜７５０ｎｍの波長範囲を示す。第４短波長後段範囲ＷＳ４２は、７５０ｎｍ〜８００ｎｍの波長範囲を示す。
【００８６】
体毛用光美容装置１０は、短波長範囲ＷＳの強度の積分値として、複数の積分値を規定している。短波長範囲ＷＳの強度の積分値は、短波長全積分値ＳＳ、第１短波長積分値ＳＳ１０、第２短波長積分値ＳＳ２０、第３短波長積分値ＳＳ３０、および、第４短波長積分値ＳＳ４０を含む。第１短波長積分値ＳＳ１０は、第１短波長前段積分値ＳＳ１１および第１短波長後段積分値ＳＳ１２を含む。第２短波長積分値ＳＳ２０は、第２短波長前段積分値ＳＳ２１および第２短波長後段積分値ＳＳ２２を含む。第３短波長積分値ＳＳ３０は、第３短波長前段積分値ＳＳ３１および第３短波長後段積分値ＳＳ３２を含む。第４短波長積分値ＳＳ４０は、第４短波長前段積分値ＳＳ４１および第４短波長後段積分値ＳＳ４２を含む。
【００８７】
第１短波長積分値ＳＳ１０は、第１短波長範囲ＷＳ１０における分光放射照度の積分値を示す。第１短波長前段積分値ＳＳ１１は、第１短波長前段範囲ＷＳ１１における分光放射照度の積分値を示す。第１短波長後段積分値ＳＳ１２は、第１短波長後段範囲ＷＳ１２における分光放射照度の積分値を示す。
【００８８】
第２短波長積分値ＳＳ２０は、第２短波長範囲ＷＳ２０における分光放射照度の積分値を示す。第２短波長前段積分値ＳＳ２１は、第２短波長前段範囲ＷＳ２１における分光放射照度の積分値を示す。第２短波長後段積分値ＳＳ２２は、第２短波長後段範囲ＷＳ２２における分光放射照度の積分値を示す。
【００８９】
第３短波長積分値ＳＳ３０は、第３短波長範囲ＷＳ３０における分光放射照度の積分値を示す。第３短波長前段積分値ＳＳ３１は、第３短波長前段範囲ＷＳ３１における分光放射照度の積分値を示す。第３短波長後段積分値ＳＳ３２は、第３短波長後段範囲ＷＳ３２における分光放射照度の積分値を示す。
【００９０】
第４短波長積分値ＳＳ４０は、第４短波長範囲ＷＳ４０における分光放射照度の積分値を示す。第４短波長前段積分値ＳＳ４１は、第４短波長前段範囲ＷＳ４１における分光放射照度の積分値を示す。第４短波長後段積分値ＳＳ４２は、第４短波長後段範囲ＷＳ４２における分光放射照度の積分値を示す。
【００９１】
体毛用光美容装置１０は、長波長範囲ＷＬにおいて、１００ｎｍを区分波長単位として４種類の波長範囲を規定している。４種類の波長範囲は、第１長波長範囲ＷＬ１０、第２長波長範囲ＷＬ２０、第３長波長範囲ＷＬ３０、および、第４長波長範囲ＷＬ４０を示す。第１長波長範囲ＷＬ１０は、８００ｎｍ〜９００ｎｍの波長範囲を示す。第２長波長範囲ＷＬ２０は、９００ｎｍ〜１０００ｎｍの波長範囲を示す。第３長波長範囲ＷＬ３０は、１０００ｎｍ〜１１００ｎｍの波長範囲を示す。第４長波長範囲ＷＬ４０は、１１００ｎｍ〜１２００ｎｍの波長範囲を示す。
【００９２】
体毛用光美容装置１０は、第１長波長範囲ＷＬ１０において、５０ｎｍを区分波長単位として２種類の波長範囲を規定している。２種類の波長範囲は、第１長波長前段範囲ＷＬ１１および第１長波長後段範囲ＷＬ１２を示す。第１長波長前段範囲ＷＬ１１は、８００ｎｍ〜８５０ｎｍの波長範囲を示す。第１長波長後段範囲ＷＬ１２は、８５０ｎｍ〜９００ｎｍの波長範囲を示す。
【００９３】
体毛用光美容装置１０は、第２長波長範囲ＷＬ２０において、５０ｎｍを区分波長単位として２種類の波長範囲を規定している。２種類の波長範囲は、第２長波長前段範囲ＷＬ２１および第２長波長後段範囲ＷＬ２２を示す。第２長波長前段範囲ＷＬ２１は、９００ｎｍ〜９５０ｎｍの波長範囲を示す。第２長波長後段範囲ＷＬ２２は、９５０ｎｍ〜１０００ｎｍの波長範囲を示す。
【００９４】
体毛用光美容装置１０は、第３長波長範囲ＷＬ３０において、５０ｎｍを区分波長単位として２種類の波長範囲を規定している。２種類の波長範囲は、第３長波長前段範囲ＷＬ３１および第３長波長後段範囲ＷＬ３２を示す。第３長波長前段範囲ＷＬ３１は、１０００ｎｍ〜１０５０ｎｍの波長範囲を示す。第３長波長後段範囲ＷＬ３２は、１０５０ｎｍ〜１１００ｎｍの波長範囲を示す。
【００９５】
体毛用光美容装置１０は、第４長波長範囲ＷＬ４０において、５０ｎｍを区分波長単位として２種類の波長範囲を規定している。２種類の波長範囲は、第４長波長前段範囲ＷＬ４１および第４長波長後段範囲ＷＬ４２を示す。第４長波長前段範囲ＷＬ４１は、１１００ｎｍ〜１１５０ｎｍの波長範囲を示す。第４長波長後段範囲ＷＬ４２は、１１５０ｎｍ〜１２００ｎｍの波長範囲を示す。
【００９６】
体毛用光美容装置１０は、長波長範囲ＷＬの強度の積分値として、複数の積分値を規定している。長波長範囲ＷＬの強度の積分値は、長波長全積分値ＳＬ、第１長波長積分値ＳＬ１０、第２長波長積分値ＳＬ２０、第３長波長積分値ＳＬ３０、および、第４長波長積分値ＳＬ４０を含む。第１長波長積分値ＳＬ１０は、第１長波長前段積分値ＳＬ１１および第１長波長後段積分値ＳＬ１２を含む。第２長波長積分値ＳＬ２０は、第２長波長前段積分値ＳＬ２１および第２長波長後段積分値ＳＬ２２を含む。第３長波長積分値ＳＬ３０は、第３長波長前段積分値ＳＬ３１および第３長波長後段積分値ＳＬ３２を含む。第４長波長積分値ＳＬ４０は、第４長波長前段積分値ＳＬ４１および第４長波長後段積分値ＳＬ４２を含む。
【００９７】
第１長波長積分値ＳＬ１０は、第１長波長範囲ＷＬ１０における分光放射照度の積分値を示す。第１長波長前段積分値ＳＬ１１は、第１長波長前段範囲ＷＬ１１における分光放射照度の積分値を示す。第１長波長後段積分値ＳＬ１２は、第１長波長後段範囲ＷＬ１２における分光放射照度の積分値を示す。
【００９８】
第２長波長積分値ＳＬ２０は、第２長波長範囲ＷＬ２０における分光放射照度の積分値を示す。第２長波長前段積分値ＳＬ２１は、第２長波長前段範囲ＷＬ２１における分光放射照度の積分値を示す。第２長波長後段積分値ＳＬ２２は、第２長波長後段範囲ＷＬ２２における分光放射照度の積分値を示す。
【００９９】
第３長波長積分値ＳＬ３０は、第３長波長範囲ＷＬ３０における分光放射照度の積分値を示す。第３長波長前段積分値ＳＬ３１は、第３長波長前段範囲ＷＬ３１における分光放射照度の積分値を示す。第３長波長後段積分値ＳＬ３２は、第３長波長後段範囲ＷＬ３２における分光放射照度の積分値を示す。
【０１００】
第４長波長積分値ＳＬ４０は、第４長波長範囲ＷＬ４０における分光放射照度の積分値を示す。第４長波長前段積分値ＳＬ４１は、第４長波長前段範囲ＷＬ４１における分光放射照度の積分値を示す。第４長波長後段積分値ＳＬ４２は、第４長波長後段範囲ＷＬ４２における分光放射照度の積分値を示す。
【０１０１】
図５の第１照射光ＺＡの光源スペクトルは、以下の特徴を示している。
第１照射光ＺＡの４００ｎｍ〜５５０ｎｍの波長範囲における強度の積分値（以下、「短波長低位積分値ＳＳＡ」）は、皮膚作用抑制値ＸＳＡ未満の大きさを取る。短波長低位積分値ＳＳＡは、皮膚作用を促進させにくくする側面から、皮膚作用抑制値ＸＳＡ未満の大きさを取ることが好ましい。なお、第１照射光ＺＡは、短波長低位積分値ＳＳＡが皮膚作用抑制値ＸＳＡ以上の大きさを取ることを否定していない。
【０１０２】
短波長低位積分値ＳＳＡおよび皮膚作用抑制値ＸＳＡの関係は、第１短波長前段積分値ＳＳ１１、第１短波長後段積分値ＳＳ１２、および、第２短波長前段積分値ＳＳ２１に基づいて規定される。第１短波長前段積分値ＳＳ１１、第１短波長後段積分値ＳＳ１２、および、第２短波長前段積分値ＳＳ２１の合計は、皮膚作用抑制値ＸＳＡ未満の大きさを取る。このため、短波長低位積分値ＳＳＡは、皮膚作用抑制値ＸＳＡ未満の大きさを取る。
【０１０３】
第１短波長前段積分値ＳＳ１１は、一例として、「０」を取る。第１短波長後段積分値ＳＳ１２は、一例として、「０」を取る。第２短波長前段積分値ＳＳ２１は、一例として、「０」を取る。このため、短波長低位積分値ＳＳＡは、「０」を取る。
【０１０４】
第１照射光ＺＡの５５０ｎｍ〜８００ｎｍの波長範囲における強度の積分値（以下、「短波長高位積分値ＳＳＢ」）は、黒毛作用促進値ＸＳＢ以上の大きさを取る。短波長高位積分値ＳＳＢは、黒毛作用を促進させる側面から、黒毛作用促進値ＸＳＢ以上の大きさを取ることが好ましい。なお、第１照射光ＺＡは、短波長高位積分値ＳＳＢが黒毛作用促進値ＸＳＢ未満の大きさを取ることを否定していない。
【０１０５】
短波長高位積分値ＳＳＢおよび黒毛作用促進値ＸＳＢの関係は、第２短波長後段積分値ＳＳ２２、第３短波長積分値ＳＳ３０、および、第４短波長積分値ＳＳ４０の少なくとも１つに基づいて規定される。短波長高位積分値ＳＳＢおよび黒毛作用促進値ＸＳＢの関係は、一例として、第２短波長後段積分値ＳＳ２２、第３短波長積分値ＳＳ３０、および、第４短波長積分値ＳＳ４０に基づいて規定されている。第２短波長後段積分値ＳＳ２２、第３短波長積分値ＳＳ３０、および、第４短波長積分値ＳＳ４０の合計は、黒毛作用促進値ＸＳＢ以上の大きさを取る。このため、短波長高位積分値ＳＳＢは、黒毛作用促進値ＸＳＢ以上の大きさを取る。
【０１０６】
短波長高位積分値ＳＳＢは、一例として、「６３３０〜７１９０μＷ／ｃｍ２」の範囲に含まれるいずれかの大きさを取る。第２短波長後段積分値ＳＳ２２は、一例として、「５３０〜５９０μＷ／ｃｍ２」の範囲に含まれるいずれかの大きさを取る。第３短波長積分値ＳＳ３０は、一例として、「３６００〜４０００μＷ／ｃｍ２」の範囲に含まれるいずれかの大きさを取る。第４短波長積分値ＳＳ４０は、一例として、「３２００〜３６００μＷ／ｃｍ２」の範囲に含まれるいずれかの大きさを取る。
【０１０７】
第１照射光ＺＡの長波長全積分値ＳＬは、長波長規定値ＸＬＡ以上の大きさを取る。長波長全積分値ＳＬは、黒毛作用を促進させる側面から、長波長規定値ＸＬＡ以上の大きさを取ることが好ましい。なお、第１照射光ＺＡは、長波長全積分値ＳＬが長波長規定値ＸＬＡ未満の大きさを取ることを否定していない。
【０１０８】
第１照射光ＺＡの長波長全積分値ＳＬおよび長波長規定値ＸＬＡの関係は、第１長波長積分値ＳＬ１０、第２長波長積分値ＳＬ２０、第３長波長積分値ＳＬ３０、および、第４長波長積分値ＳＬ４０の少なくとも１つに基づいて規定される。長波長全積分値ＳＬおよび長波長規定値ＸＬＡの関係は、一例として、第１長波長積分値ＳＬ１０、第２長波長積分値ＳＬ２０、第３長波長積分値ＳＬ３０、および、第４長波長積分値ＳＬ４０に基づいて規定されている。第１長波長積分値ＳＬ１０、第２長波長積分値ＳＬ２０、第３長波長積分値ＳＬ３０、および、第４長波長積分値ＳＬ４０の合計は、長波長規定値ＸＬＡ以上の大きさを取る。このため、長波長全積分値ＳＬは、長波長規定値ＸＬＡ以上の大きさを取る。
【０１０９】
第１照射光ＺＡの長波長全積分値ＳＬは、一例として、「６９５０００〜７８００００μＷ／ｃｍ２」の範囲に含まれるいずれかの大きさを取る。第１長波長積分値ＳＬ１０は、一例として、「２８００００〜３２００００μＷ／ｃｍ２」の範囲に含まれるいずれかの大きさを取る。第２長波長積分値ＳＬ２０は、一例として、「２５００００〜２７００００μＷ／ｃｍ２」の範囲に含まれるいずれかの大きさを取る。第３長波長積分値ＳＬ３０は、一例として、「９５０００〜１１００００μＷ／ｃｍ２」の範囲に含まれるいずれかの大きさを取る。第４長波長積分値ＳＬ４０は、一例として、「７００００〜８００００μＷ／ｃｍ２」の範囲に含まれるいずれかの大きさを取る。
【０１１０】
第１照射光ＺＡは、８００ｍｍ〜１０００ｎｍの波長範囲に複数の有意なピークを有する。第１照射光ＺＡは、第１長波長範囲ＷＬ１０おいて最大ピークを有する。第１照射光ＺＡの最大ピークは、一例として、「９０００〜１１０００μＷ／ｃｍ２／ｎｍ」の範囲に含まれるいずれかの大きさを取る。有意なピークは、ピークの高さが基準高さ以上の大きさを取るピークを示し、美容作用、皮膚作用、および、黒毛作用の少なくとも１つの作用に対して、有意な影響を及ぼす可能性が高い。
【０１１１】
図６の第２照射光ＺＢの光源スペクトルは、以下の特徴を示している。
第２照射光ＺＢの短波長全積分値ＳＳは、皮膚作用抑制値ＸＳＣ未満の大きさを取る。短波長全積分値ＳＳは、皮膚作用を促進させにくくする側面から、皮膚作用抑制値ＸＳＣ未満の大きさを取ることが好ましい。なお、第２照射光ＺＢは、短波長全積分値ＳＳが皮膚作用抑制値ＸＳＣ以上の大きさを取ることを否定していない。
【０１１２】
第２照射光ＺＢの短波長全積分値ＳＳおよび皮膚作用抑制値ＸＳＣの関係は、第１短波長積分値ＳＳ１０、第２短波長積分値ＳＳ２０、第３短波長積分値ＳＳ３０、および、第４短波長積分値ＳＳ４０に基づいて規定される。第１短波長積分値ＳＳ１０、第２短波長積分値ＳＳ２０、第３短波長積分値ＳＳ３０、および、第４短波長積分値ＳＳ４０の合計は、皮膚作用抑制値ＸＳＣ未満の大きさを取る。このため、短波長全積分値ＳＳは、皮膚作用抑制値ＸＳＣ未満の大きさを取る。
【０１１３】
第１短波長積分値ＳＳ１０は、一例として、「０」を取る。第２短波長積分値ＳＳ２０は、一例として、「０」を取る。第３短波長積分値ＳＳ３０は、一例として、「０」を取る。第４短波長積分値ＳＳ４０は、一例として、「０」を取る。このため、短波長全積分値ＳＳは、「０」を取る。
【０１１４】
第２照射光ＺＢの長波長全積分値ＳＬは、美容作用促進値ＸＬＢ以上の大きさを取る。長波長全積分値ＳＬは、美容作用を促進させる側面から、美容作用促進値ＸＬＢ以上の大きさを取ることが好ましい。美容作用促進値ＸＬＢは、長波長規定値ＸＬＡよりも大きい。なお、第２照射光ＺＢは、長波長全積分値ＳＬが美容作用促進値ＸＬＢ未満の大きさを取ることを否定していない。
【０１１５】
第２照射光ＺＢの長波長全積分値ＳＬおよび美容作用促進値ＸＬＢの関係は、第１長波長積分値ＳＬ１０、第２長波長積分値ＳＬ２０、第３長波長積分値ＳＬ３０、および、第４長波長積分値ＳＬ４０の少なくとも１つに基づいて規定される。長波長全積分値ＳＬおよび美容作用促進値ＸＬＢの関係は、一例として、第１長波長積分値ＳＬ１０、第２長波長積分値ＳＬ２０、第３長波長積分値ＳＬ３０、および、第４長波長積分値ＳＬ４０に基づいて規定されている。第１長波長積分値ＳＬ１０、第２長波長積分値ＳＬ２０、第３長波長積分値ＳＬ３０、および、第４長波長積分値ＳＬ４０の合計は、美容作用促進値ＸＬＢ以上の大きさを取る。このため、長波長全積分値ＳＬは、美容作用促進値ＸＬＢ以上の大きさを取る。
【０１１６】
第２照射光ＺＢの長波長全積分値ＳＬは、一例として、「９３２０００〜１０２２０００μＷ／ｃｍ２」の範囲に含まれるいずれかの大きさを取る。第１長波長積分値ＳＬ１０は、一例として、「１４７０００〜１６２０００μＷ／ｃｍ２」の範囲に含まれるいずれかの大きさを取る。第２長波長積分値ＳＬ２０は、一例として、「４４００００〜４８００００μＷ／ｃｍ２」の範囲に含まれるいずれかの大きさを取る。第３長波長積分値ＳＬ３０は、一例として、「１８００００〜２０００００μＷ／ｃｍ２」の範囲に含まれるいずれかの大きさを取る。第４長波長積分値ＳＬ４０は、一例として、「１６５０００〜１８００００μＷ／ｃｍ２」の範囲に含まれるいずれかの大きさを取る。
【０１１７】
第２照射光ＺＢは、８００ｎｍ以上かつ８６０ｎｍ未満の波長範囲において有意なピークを有していない。第２照射光ＺＢは、８６０ｍｍ〜１０００ｎｍの波長範囲に複数の有意なピークを有する。第２照射光ＺＢは、第２長波長範囲ＷＬ２０おいて最大ピークを有する。第２照射光ＺＢの最大ピークは、一例として、「１２０００〜１４５００μＷ／ｃｍ２／ｎｍ」の範囲に含まれるいずれかの大きさを取る。
【０１１８】
第１照射光ＺＡおよび第２照射光ＺＢは、以下の関係を有する。
第１照射光ＺＡの短波長全積分値ＳＳは、第２照射光ＺＢの短波長全積分値ＳＳよりも大きい。すなわち、第１照射光ＺＡの短波長範囲ＷＳの光エネルギーは、第２照射光ＺＢの短波長範囲ＷＳの光エネルギーよりも多い。
【０１１９】
第１照射光ＺＡの短波長全積分値ＳＳ、および、第２照射光ＺＢの短波長全積分値ＳＳの関係は、一例として、第１照射光ＺＡの短波長高位積分値ＳＳＢ、および、第２照射光ＺＢの短波長全積分値ＳＳの関係に基づいて規定されている。
【０１２０】
第２照射光ＺＢの長波長全積分値ＳＬは、第１照射光ＺＡの長波長全積分値ＳＬよりも大きい。すなわち、第２照射光ＺＢの長波長範囲ＷＬの光エネルギーは、第１照射光ＺＡの長波長範囲ＷＬの光エネルギーよりも多い。第２照射光ＺＢの８５０ｎｍ〜１２００ｎｍの波長範囲における強度の積分値は、第１照射光ＺＡの８５０ｎｍ〜１２００ｎｍの波長範囲における強度の積分値よりも大きい。第２照射光ＺＢの８５０ｎｍ〜１０００ｎｍの波長範囲における強度の積分値は、第１照射光ＺＡの８５０ｎｍ〜１０００ｎｍの波長範囲における強度の積分値よりも大きい。
【０１２１】
本願発明者は、体毛用光美容装置１０の複合照射動作が好ましい美容効果を奏することを実験により確認した。体毛用光美容装置１０が好ましい美容効果を奏する理由は、次のように考えられる。
【０１２２】
第２照射光ＺＢの短波長全積分値ＳＳは、第１照射光ＺＡの短波長全積分値ＳＳよりも小さい。一方、酸化ヘモグロビンは、短い波長の光を吸収しやすい。すなわち、第２照射光ＺＢは、酸化ヘモグロビンに吸収されやすい波長の光エネルギーが少ない。このため、第２照射光ＺＢは、第１照射光ＺＡよりも皮膚に影響を及ぼしにくい。
【０１２３】
第２照射光ＺＢの長波長全積分値ＳＬは、第１照射光ＺＡの長波長全積分値ＳＬよりも大きい。一方、フェオメラニンは、光の波長が長くなるにつれて光を吸収しにくくなる。このため、第２照射光ＺＢは、フェオメラニンを含む体毛の成長を抑制しにくいことが予測される。しかし、実験の結果は、第２照射光ＺＢを照射することにより、フェオメラニンを含む体毛の成長が抑制されることを示した。その理由は、次のように考えられる。
【０１２４】
第１照射光ＺＡの短波長全積分値ＳＳは、第２照射光ＺＢの短波長全積分値ＳＳよりも大きい。第１照射光ＺＡの短波長全積分値ＳＳは、黒毛作用促進値ＸＳＢ以上の大きさを取る。一方、メラニン産生細胞は、短い波長の光を吸収しやすい。このため、第１照射光ＺＡは、メラニン産生細胞を活性化させやすい。メラニン産生細胞は、活性化の度合が高くなることにより、ユーメラニンを産生する量が多くなる。このため、体毛に含まれるユーメラニンの量は、第１照射光ＺＡが照射されることにより増加する。
【０１２５】
ユーメラニンは、４００ｎｍ〜１２００ｎｍの波長範囲において、フェオメラニンよりも光を吸収しやすい。ユーメラニンは、４００ｎｍ〜１２００ｎｍの波長範囲において、波長に対して光の吸収率が変化しにくい。このため、ユーメラニンの量が増加した体毛は、ユーメラニンの量が増加する前と比較して、長い波長の光を吸収しやすくなる。このため、複合照射動作は、第２照射光ＺＢを照射することにより、フェオメラニンを含む体毛の成長を抑制することができると考えられる。
【０１２６】
体毛用光美容装置１０は、以上のとおり新規な知見に基づいて形成されている。この知見は、本願出願前の体毛用光美容装置の分野において知られていない。このことは、体毛用光美容装置１０が本願発明者の独創的な着想により創作された装置であることを示している。
【０１２７】
体毛用光美容装置１０は、以下の効果を奏する。
（Ａ０１）体毛用光美容装置１０は、第１照射機能および第２照射機能を有する。このため、体毛用光美容装置１０は、複合照射動作により生体に光を照射することができる。このため、体毛用光美容装置１０は、好ましい美容効果を奏することができる。なお、特許文献１の体毛用光美容装置は、段落［００１５］の記載に基づいて、照射動作を形成した場合、主として８００ｎｍ〜１２００ｎｍの波長範囲の成分を含む光（以下、「文献照射光」）を生体に照射する。文献照射光は、フェオメラニンに吸収されにくい。このため、文献照射光は、体毛に含まれるフェオメラニンの量が多くなるにつれて、美容作用を促進させにくくなると考えられる。
【０１２８】
（Ａ０２）体毛用光美容装置１０は、第１仮想照射動作および第２仮想照射動作と比較して有利な効果を奏する。第１仮想照射動作は、複合照射動作との対比のために規定した仮想の照射動作を示す。第１仮想照射動作は、１回の照射動作において２段階に分けて第１仮想照射光を照射し、複合照射動作と同じ大きさの単位照射エネルギーを有する。第１仮想照射光は、主として４００ｎｍ〜８００ｎｍの波長範囲において光エネルギーを持つ。第２仮想照射動作は、複合照射動作との対比のために規定した仮想の照射動作を示す。第２仮想照射動作は、１回の照射動作において２段階に分けて第２仮想照射光を照射し、複合照射動作と同じ大きさの単位照射エネルギーを有する。第２仮想照射光は、主として８００ｎｍ〜１２００ｎｍの波長範囲において光エネルギーを持つ。
【０１２９】
図７は、各照射動作の美容作用および皮膚作用を相対化して記述している。
美容作用の欄の記号は、次の意味を持つ。「Ａ」は、相対的に美容作用を促進させやすいことを意味する。「Ｃ」は、相対的に美容作用を促進させにくいことを意味する。「Ｂ」は、「Ａ」よりも美容作用を促進させにくく、「Ｃ」よりも美容作用を促進させやすいことを意味する。美容作用の欄の記号は、美容作用の促進度合に関する水準を示し、同じ記号同士において促進度合が異なる場合があることも意味する。
【０１３０】
皮膚作用の欄の記号は、次の意味を持つ。「Ａ」は、相対的に皮膚作用を促進させにくいことを意味する。「Ｃ」は、相対的に皮膚作用を促進させやすいことを意味する。「Ｂ」は、「Ａ」よりも皮膚作用を促進させやすく、「Ｃ」よりも皮膚作用を促進させにくいことを意味する。皮膚作用の欄の記号は、皮膚作用の促進度合に関する水準を示し、同じ記号同士において促進度合が異なる場合があることも意味する。
【０１３１】
第１仮想照射動作は、皮膚に影響を及ぼしやすく、かつ、フェオメラニンを含む体毛の成長を抑制する効果が高い。第２仮想照射動作は、皮膚に影響を及ぼしにくく、かつ、フェオメラニンを含む体毛の成長を抑制する効果が低い。
【０１３２】
複合照射動作の前段の光照射は、第１仮想照射動作よりも皮膚に影響を及ぼしにくく、かつ、第２仮想照射動作よりもフェオメラニンを含む体毛の成長を抑制する効果が高い。その理由は、以下のとおり説明することができる。
【０１３３】
第１照射光ＺＡは、第１仮想照射光との対比において、短い波長における光エネルギーの量が少ない。このため、第１仮想照射動作と比較して、皮膚に影響を及ぼしにくい。第１照射光ＺＡは、第２仮想照射光との対比において、短い波長における光エネルギーの量が多い。このため、第２仮想照射動作と比較して、フェオメラニンを含む体毛の成長を抑制する効果が高い。
【０１３４】
複合照射動作の後段の光照射は、皮膚作用に関して第２仮想照射動作と同じ水準の促進度合を有し、かつ、美容作用に関して第１仮想照射動作と同じ水準の促進度合を有する。その理由は、以下のとおり説明することができる。
【０１３５】
第２照射光ＺＢは、第２仮想照射光との対比において、短い波長における光エネルギーの量の差が小さい。このため、第２仮想照射動作と同様に皮膚に影響を及ぼしにくい。第２照射光ＺＢは、第１仮想照射光との対比において、短い波長における光エネルギーの量が少ない。一方、複合照射動作の後段の照射動作は、複合照射動作の前段の光照射により黒毛作用が促進された体毛に対して第２照射光ＺＢを照射する。このため、短い波長における光エネルギーの量が第１仮想照射光よりも少ない条件において、美容作用に関して第１仮想照射動作と同じ水準の促進度合を有する。
【０１３６】
（Ｂ０１）第１照射光ＺＡは、短波長高位積分値ＳＳＢが美容作用促進値ＸＳＢ以上の大きさを取る。本願発明者は、この特徴を有する第１照射光ＺＡにより、次の効果が得られることを実験により確認した。この第１照射光ＺＡは、短波長高位積分値ＳＳＢが美容作用促進値ＸＳＢ未満の大きさを取る場合と比較して、美容作用を促進させやすい。
【０１３７】
（Ｂ０２）第１照射光ＺＡは、短波長低位積分値ＳＳＡが皮膚作用抑制値ＸＳＡ未満の大きさを取る。本願発明者は、この特徴を有する第１照射光ＺＡにより、次の効果が得られることを実験により確認した。この第１照射光ＺＡは、短波長低位積分値ＳＳＡが皮膚作用抑制値ＸＳＡ以上の大きさを取る場合と比較して、皮膚作用を促進させにくい。
【０１３８】
（Ｃ０１）第２照射光ＺＢは、短波長全積分値ＳＳが短波長規定値ＸＳＣ未満の大きさを取る。本願発明者は、この特徴を有する第２照射光ＺＢにより、次の効果が得られることを実験により確認した。この第２照射光ＺＢは、短波長全積分値ＳＳが短波長規定値ＸＳＣ以上の大きさを取る場合と比較して、皮膚作用を促進させにくい。
【０１３９】
（Ｃ０２）第２照射光ＺＢは、４００ｎｍ〜８５０ｎｍの波長範囲における強度の積分値が８００ｎｍ〜９００ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、８００ｎｍ〜９００ｎｍの波長範囲における強度の積分値よりも大きい場合と比較して、皮膚作用を促進させにくい。
【０１４０】
（Ｃ０３）第２照射光ＺＢは、４００ｎｍ〜８５０ｎｍの波長範囲における強度の積分値が８５０ｎｍ〜９００ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、８５０ｎｍ〜９００ｎｍの波長範囲における強度の積分値よりも大きい場合と比較して、皮膚作用を促進させにくい。
【０１４１】
（Ｃ０４）第２照射光ＺＢは、４００ｎｍ〜８５０ｎｍの波長範囲における強度の積分値が９００ｎｍ〜１０００ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、９００ｎｍ〜１０００ｎｍの波長範囲における強度の積分値よりも大きい場合と比較して、皮膚作用を促進させにくい。
【０１４２】
（Ｃ０５）第２照射光ＺＢは、４００ｎｍ〜８５０ｎｍの波長範囲における強度の積分値が９００ｎｍ〜９５０ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、９００ｎｍ〜９５０ｎｍの波長範囲における強度の積分値よりも大きい場合と比較して、皮膚作用を促進させにくい。
【０１４３】
（Ｃ０６）第２照射光ＺＢは、４００ｎｍ〜８５０ｎｍの波長範囲における強度の積分値が９５０ｎｍ〜１０００ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、９５０ｎｍ〜１０００ｎｍの波長範囲における強度の積分値よりも大きい場合と比較して、皮膚作用を促進させにくい。
【０１４４】
（Ｃ０７）第２照射光ＺＢは、４００ｎｍ〜８５０ｎｍの波長範囲における強度の積分値が１０００ｎｍ〜１１００ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、１０００ｎｍ〜１１００ｎｍの波長範囲における強度の積分値よりも大きい場合と比較して、皮膚作用を促進させにくい。
【０１４５】
（Ｃ０８）第２照射光ＺＢは、４００ｎｍ〜８５０ｎｍの波長範囲における強度の積分値が１０００ｎｍ〜１０５０ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、１０００ｎｍ〜１０５０ｎｍの波長範囲における強度の積分値よりも大きい場合と比較して、皮膚作用を促進させにくい。
【０１４６】
（Ｃ０９）第２照射光ＺＢは、４００ｎｍ〜８５０ｎｍの波長範囲における強度の積分値が１０５０ｎｍ〜１１００ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、１０５０ｎｍ〜１１００ｎｍの波長範囲における強度の積分値よりも大きい場合と比較して、皮膚作用を促進させにくい。
【０１４７】
（Ｃ１０）第２照射光ＺＢは、４００ｎｍ〜８５０ｎｍの波長範囲における強度の積分値が１１００ｎｍ〜１２００ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、１１００ｎｍ〜１２００ｎｍの波長範囲における強度の積分値よりも大きい場合と比較して、皮膚作用を促進させにくい。
【０１４８】
（Ｃ１１）第２照射光ＺＢは、４００ｎｍ〜８５０ｎｍの波長範囲における強度の積分値が１１００ｎｍ〜１１５０ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、１１００ｎｍ〜１１５０ｎｍの波長範囲における強度の積分値よりも大きい場合と比較して、皮膚作用を促進させにくい。
【０１４９】
（Ｃ１２）第２照射光ＺＢは、４００ｎｍ〜８５０ｎｍの波長範囲における強度の積分値が１１５０ｎｍ〜１２００ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、１１５０ｎｍ〜１２００ｎｍの波長範囲における強度の積分値よりも大きい場合と比較して、皮膚作用を促進させにくい。
【０１５０】
（Ｃ１３）第２照射光ＺＢは、４００ｎｍ〜８５０ｎｍの波長範囲における強度の積分値が、９５０ｎｍ〜１２００ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、９５０ｎｍ〜１２００ｎｍの波長範囲における強度の積分値よりも大きい場合と比較して、皮膚作用を促進させにくい。
【０１５１】
（Ｃ１４）第２照射光ＺＢは、４００ｎｍ〜８５０ｎｍの波長範囲における強度の積分値が、１０００ｎｍ〜１２００ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、１０００ｎｍ〜１２００ｎｍの波長範囲における強度の積分値よりも大きい場合と比較して、皮膚作用を促進させにくい。
【０１５２】
（Ｃ１５）第２照射光ＺＢは、４００ｎｍ〜８５０ｎｍの波長範囲における強度の積分値が１０５０ｎｍ〜１２００ｎｍの波長範囲における強度の積分値よりも小さい。本願発明者は、この特徴を有する第２照射光ＺＢにより、次の効果が得られることを実験により確認した。この第２照射光ＺＢは、４００ｎｍ〜８５０ｎｍの波長範囲における強度の積分値が、１０５０ｎｍ〜１２００ｎｍの波長範囲における強度の積分値よりも大きい場合と比較して、皮膚作用を促進させにくい。
【０１５３】
（Ｃ１６）第２照射光ＺＢは、（Ｃ０１）〜（Ｃ１５）における４００ｎｍ〜８５０ｎｍの波長範囲を４００ｎｍ〜８００ｎｍに置き換えた場合においても、（Ｃ０１）〜（Ｃ１５）の効果と同様の効果を奏する。
【０１５４】
（Ｄ０１）第２照射光ＺＢは、８５０ｎｍ〜１０００ｎｍの波長範囲における強度の積分値が１０００ｎｍ〜１２００ｎｍの波長範囲における強度の積分値よりも大きい。本願発明者は、この特徴を有する第２照射光ＺＢにより、次の効果が得られることを実験により確認した。この第２照射光ＺＢは、８５０ｎｍ〜１０００ｎｍの波長範囲における強度の積分値が、１０００ｎｍ〜１２００ｎｍの波長範囲における強度の積分値よりも小さい場合と比較して、美容作用を促進させやすい。
【０１５５】
（Ｄ０２）第２照射光ＺＢは、９００ｎｍ〜１０００ｎｍの波長範囲における強度の積分値が１０００ｎｍ〜１２００ｎｍの波長範囲における強度の積分値よりも大きい。本願発明者は、この特徴を有する第２照射光ＺＢにより、次の効果が得られることを実験により確認した。この第２照射光ＺＢは、９００ｎｍ〜１０００ｎｍの波長範囲における強度の積分値が、１０００ｎｍ〜１２００ｎｍの波長範囲における強度の積分値よりも小さい場合と比較して、美容作用を促進させやすい。
【０１５６】
（Ｄ０３）第２照射光ＺＢは、９００ｎｍ〜１０００ｎｍの波長範囲における強度の積分値が１１００ｎｍ〜１２００ｎｍの波長範囲における強度の積分値よりも大きい。本願発明者は、この特徴を有する第２照射光ＺＢにより、次の効果が得られることを実験により確認した。この第２照射光ＺＢは、９００ｎｍ〜１０００ｎｍの波長範囲における強度の積分値が、１１００ｎｍ〜１２００ｎｍの波長範囲における強度の積分値よりも小さい場合と比較して、美容作用を促進させやすい。
【０１５７】
（Ｄ０４）第２照射光ＺＢは、１０００ｎｍ〜１１００ｎｍの波長範囲における強度の積分値が１１００ｎｍ〜１２００ｎｍの波長範囲における強度の積分値よりも大きい。本願発明者は、この特徴を有する第２照射光ＺＢにより、次の効果が得られることを実験により確認した。この第２照射光ＺＢは、１０００ｎｍ〜１１００ｎｍの波長範囲における強度の積分値が、１１００ｎｍ〜１２００ｎｍの波長範囲における強度の積分値よりも小さい場合と比較して、美容作用を促進させやすい。
【０１５８】
（Ｄ０５）第２照射光ＺＢは、８５０ｎｍ〜９００ｎｍの波長範囲における強度の積分値が１１００ｎｍ〜１２００ｎｍの波長範囲における強度の積分値よりも大きい。本願発明者は、この特徴を有する第２照射光ＺＢにより、次の効果が得られることを実験により確認した。この第２照射光ＺＢは、８５０ｎｍ〜９００ｎｍの波長範囲における強度の積分値が、１１００ｎｍ〜１２００ｎｍの波長範囲における強度の積分値よりも小さい場合と比較して、美容作用を促進させやすい。
【０１５９】
（Ｄ０６）第２照射光ＺＢは、９００ｎｍ〜９５０ｎｍの波長範囲における強度の積分値が１１００ｎｍ〜１２００ｎｍの波長範囲における強度の積分値よりも大きい。本願発明者は、この特徴を有する第２照射光ＺＢにより、次の効果が得られることを実験により確認した。この第２照射光ＺＢは、９００ｎｍ〜９５０ｎｍの波長範囲における強度の積分値が、１１００ｎｍ〜１２００ｎｍの波長範囲における強度の積分値よりも小さい場合と比較して、美容作用を促進させやすい。
【０１６０】
（Ｄ０７）第２照射光ＺＢは、９５０ｎｍ〜１０００ｎｍの波長範囲における強度の積分値が１１００ｎｍ〜１２００ｎｍの波長範囲における強度の積分値よりも大きい。本願発明者は、この特徴を有する第２照射光ＺＢにより、次の効果が得られることを実験により確認した。この第２照射光ＺＢは、９５０ｎｍ〜１０００ｎｍの波長範囲における強度の積分値が、１１００ｎｍ〜１２００ｎｍの波長範囲における強度の積分値よりも小さい場合と比較して、美容作用を促進させやすい。
【０１６１】
（Ｅ０１）第１照射光ＺＡおよび第２照射光ＺＢは、０．２〜１．５（Ｊ／ｃｍ２）の範囲に含まれる光エネルギー密度を有する。本願発明者は、この特徴を有する照射光により、次の効果が得られることを実験により確認した。第１照射光ＺＡおよび第２照射光ＺＢは、０．２（Ｊ／ｃｍ２）未満の光エネルギー密度を有する場合と比較して、美容作用を促進させやすい。第１照射光ＺＡおよび第２照射光ＺＢは、１．５（Ｊ／ｃｍ２）よりも大きい光エネルギー密度を有する場合と比較して、皮膚作用を促進させにくい。
【０１６２】
（Ｅ０２）第１照射光ＺＡおよび第２照射光ＺＢは、１回の照射動作あたり６００μｓ〜２ｍｓの範囲に含まれる照射時間を有する。本願発明者は、この特徴を有する照射光により、次の効果が得られることを実験により確認した。第１照射光ＺＡおよび第２照射光ＺＢは、６００μｓ未満の照射時間を有する場合と比較して、美容作用を促進させやすい。第１照射光ＺＡおよび第２照射光ＺＢは、２ｍｓよりも長い照射時間を有する場合と比較して、皮膚作用を促進させにくい。
【０１６３】
（第２実施形態）
図１は、第２実施形態の体毛用光美容装置１０の一形態を示している。
第２実施形態の体毛用光美容装置１０は、複数の構成要素を有する。第２実施形態の複数の構成要素は、第１実施形態の体毛用光美容装置１０が有する複数の構成要素と同様または類似の構造および機能を有する。第２実施形態の体毛用光美容装置１０の説明は、第１実施形態の構成要素と同様または類似の構造および機能を有する第２実施形態の構成要素の説明の一部または全部を省略する。第２実施形態の体毛用光美容装置１０の説明は、第１実施形態の構成要素と同様または類似の構造および機能を有する第２実施形態の構成要素の少なくとも一部に対して、第１実施形態の構成要素と同一の符号を付している。
【０１６４】
第２実施形態の体毛用光美容装置１０は、第１照射光ＺＡの光源スペクトルが第１実施形態の体毛用光美容装置１０と異なる。第２実施形態の第１照射光ＺＡは、図８に示される光源スペクトルを有する。第２実施形態の体毛用光美容装置１０は、その他の点において第１実施形態の体毛用光美容装置１０に準じた構成を有する。
【０１６５】
図８の第１照射光ＺＡの光源スペクトルは、以下の特徴を示している。
第１照射光ＺＡの６５０ｎｍ〜１２００ｎｍの波長範囲における強度の積分値（以下、「第１長波側積分値ＳＳＣ」）は、長波側規定値ＸＳＤ未満の大きさを取る。第１長波側積分値ＳＳＣは、消費エネルギーを少なくする側面から、長波側規定値ＸＳＤ未満の大きさを取ることが好ましい。なお、第１照射光ＺＡは、第１長波側積分値ＳＳＣが長波側規定値ＸＳＤ以上の大きさを取ることを否定していない。
【０１６６】
第１長波側積分値ＳＳＣおよび長波側規定値ＸＳＤの関係は、第３短波長後段積分値ＳＳ３２、第４短波長積分値ＳＳ４０、および、長波長全積分値ＳＬに基づいて規定される。第３短波長後段積分値ＳＳ３２、第４短波長積分値ＳＳ４０、および、長波長全積分値ＳＬの合計は、長波側規定値ＸＳＤ未満の大きさを取る。このため、第１長波側積分値ＳＳＣは、長波側規定値ＸＳＤ未満の大きさを取る。
【０１６７】
第３短波長後段積分値ＳＳ３２は、一例として、「０」を取る。第４短波長積分値ＳＳ４０は、一例として、「０」を取る。長波長全積分値ＳＬは、一例として、「０」を取る。このため、第１長波側積分値ＳＳＣは、「０」を取る。
【０１６８】
第１照射光ＺＡの５００ｎｍ〜６５０ｎｍの波長範囲における強度の積分値（以下、「第１短波側積分値ＳＳＤ」）は、黒毛作用促進値ＸＳＢ以上の大きさを取る。第１短波側積分値ＳＳＤは、黒毛作用を促進させる側面から、黒毛作用促進値ＸＳＢ以上の大きさを取ることが好ましい。なお、第１照射光ＺＡは、第１短波側積分値ＳＳＤが黒毛作用促進値ＸＳＢ未満の大きさを取ることを否定していない。
【０１６９】
第１短波側積分値ＳＳＤおよび黒毛作用促進値ＸＳＢの関係は、第２短波長前段積分値ＳＳ２１、第２短波長後段積分値ＳＳ２２、および、第３短波長前段積分値ＳＳ３１の少なくとも１つに基づいて規定される。第１短波側積分値ＳＳＤおよび黒毛作用促進値ＸＳＢの関係は、一例として、第２短波長前段積分値ＳＳ２１、第２短波長後段積分値ＳＳ２２、および、第３短波長前段積分値ＳＳ３１に基づいて規定されている。第２短波長前段積分値ＳＳ２１、第２短波長後段積分値ＳＳ２２、および、第３短波長前段積分値ＳＳ３１の合計は、黒毛作用促進値ＸＳＢ以上の大きさを取る。このため、第１短波側積分値ＳＳＤは、黒毛作用促進値ＸＳＢ以上の大きさを取る。
【０１７０】
第１短波側積分値ＳＳＤは、一例として、「４７８０００〜５２００００μＷ／ｃｍ２」の範囲に含まれるいずれかの大きさを取る。第２短波長前段積分値ＳＳ２１は、一例として、「１８３０００〜２０００００μＷ／ｃｍ２」の範囲に含まれるいずれかの大きさを取る。第２短波長後段積分値ＳＳ２２は、一例として、「１９５０００〜２１００００μＷ／ｃｍ２」の範囲に含まれるいずれかの大きさを取る。第３短波長前段積分値ＳＳ３１は、一例として、「１０００００〜１１００００μＷ／ｃｍ２」の範囲に含まれるいずれかの大きさを取る。
【０１７１】
第１照射光ＺＡは、５００ｍｍ〜６５０ｎｍの波長範囲に少なくとも１つの有意なピークを有する。第１照射光ＺＡは、第２短波長範囲ＷＳ２０おいて最大ピークを有する。第１照射光ＺＡの最大ピークは、一例として、「７０００〜９０００μＷ／ｃｍ２／ｎｍ」の範囲に含まれるいずれかの大きさを取る。
【０１７２】
第２実施形態の体毛用光美容装置１０は、第１実施形態の体毛用光美容装置１０が奏する種々の効果と同様の効果を奏する。ただし、第２実施形態の体毛用光美容装置１０は、第２実施形態の第１照射光ＺＡに存在せず、第１実施形態の第１照射光ＺＡに存在する特徴に基づいて得られる第１実施形態の効果を奏さない。
【０１７３】
（第３実施形態）
図１は、第３実施形態の体毛用光美容装置１０の一形態を示している。
第３実施形態の体毛用光美容装置１０は、複数の構成要素を有する。第３実施形態の複数の構成要素は、第１実施形態の体毛用光美容装置１０が有する複数の構成要素と同様または類似の構造および機能を有する。第３実施形態の体毛用光美容装置１０の説明は、第１実施形態の構成要素と同様または類似の構造および機能を有する第３実施形態の構成要素の説明の一部または全部を省略する。第３実施形態の体毛用光美容装置１０の説明は、第１実施形態の構成要素と同様または類似の構造および機能を有する第３実施形態の構成要素の少なくとも一部に対して、第１実施形態の構成要素と同一の符号を付している。
【０１７４】
第３実施形態の体毛用光美容装置１０は、第１照射光ＺＡの光源スペクトルが第１実施形態の体毛用光美容装置１０と異なる。第３実施形態の第１照射光ＺＡは、図９に示される光源スペクトルを有する。図９の第１照射光ＺＡの光源スペクトルは、第２実施形態の第１照射光ＺＡの光源スペクトルに類似した特徴を有する。第３実施形態の体毛用光美容装置１０は、その他の点において第１実施形態の体毛用光美容装置１０に準じた構成を有する。
【０１７５】
第３実施形態の体毛用光美容装置１０は、第１実施形態の体毛用光美容装置１０が奏する種々の効果と同様の効果を奏する。ただし、第３実施形態の体毛用光美容装置１０は、第３実施形態の第１照射光ＺＡに存在せず、第１実施形態の第１照射光ＺＡに存在する特徴に基づいて得られる第１実施形態の効果を奏さない。
【０１７６】
（第４実施形態）
図１は、第４実施形態の体毛用光美容装置１０の一形態を示している。
第４実施形態の体毛用光美容装置１０は、複数の構成要素を有する。第４実施形態の複数の構成要素は、第１実施形態の体毛用光美容装置１０が有する複数の構成要素と同様または類似の構造および機能を有する。第４実施形態の体毛用光美容装置１０の説明は、第１実施形態の構成要素と同様または類似の構造および機能を有する第４実施形態の構成要素の説明の一部または全部を省略する。第４実施形態の体毛用光美容装置１０の説明は、第１実施形態の構成要素と同様または類似の構造および機能を有する第４実施形態の構成要素の少なくとも一部に対して、第１実施形態の構成要素と同一の符号を付している。
【０１７７】
第４実施形態の体毛用光美容装置１０は、第２照射光ＺＢの光源スペクトルが第１実施形態の体毛用光美容装置１０と異なる。第４実施形態の第２照射光ＺＢは、図１０に示される光源スペクトルを有する。第４実施形態の体毛用光美容装置１０は、その他の点において第１実施形態の体毛用光美容装置１０に準じた構成を有する。
【０１７８】
図１０の第２照射光ＺＢの光源スペクトルは、以下の特徴を示している。
第２照射光ＺＢの短波長全積分値ＳＳは、皮膚作用抑制値ＸＳＣ未満の大きさを取る。短波長全積分値ＳＳは、皮膚作用を促進させにくくする側面から、皮膚作用抑制値ＸＳＣ未満の大きさを取ることが好ましい。なお、第２照射光ＺＢは、短波長全積分値ＳＳが皮膚作用抑制値ＸＳＣ以上の大きさを取ることを否定していない。
【０１７９】
第２照射光ＺＢの短波長全積分値ＳＳおよび皮膚作用抑制値ＸＳＣの関係は、第１短波長積分値ＳＳ１０、第２短波長積分値ＳＳ２０、第３短波長積分値ＳＳ３０、および、第４短波長積分値ＳＳ４０に基づいて規定される。第１短波長積分値ＳＳ１０、第２短波長積分値ＳＳ２０、第３短波長積分値ＳＳ３０、および、第４短波長積分値ＳＳ４０の合計は、皮膚作用抑制値ＸＳＣ未満の大きさを取る。このため、短波長全積分値ＳＳは、皮膚作用抑制値ＸＳＣ未満の大きさを取る。
【０１８０】
第１短波長積分値ＳＳ１０は、一例として、「０」を取る。第２短波長積分値ＳＳ２０は、一例として、「０」を取る。第３短波長積分値ＳＳ３０は、一例として、「０」を取る。第４短波長積分値ＳＳ４０は、一例として、「０」よりも大きく、かつ、第１長波長前段積分値ＳＬ１１よりも小さい値を取る。このため、短波長全積分値ＳＳは、「０」よりも大きく、かつ、第１長波長前段積分値ＳＬ１１よりも小さい値を取る。
【０１８１】
第２照射光ＺＢの長波長全積分値ＳＬは、美容作用促進値ＸＬＢ以上の大きさを取る。長波長全積分値ＳＬは、美容作用を高める側面から、美容作用促進値ＸＬＢ以上の大きさを取ることが好ましい。美容作用促進値ＸＬＢは、長波長規定値ＸＬＡよりも大きい。なお、第２照射光ＺＢは、長波長全積分値ＳＬが美容作用促進値ＸＬＢ未満の大きさを取ることを否定していない。
【０１８２】
第２照射光ＺＢの長波長全積分値ＳＬおよび美容作用促進値ＸＬＢの関係は、第１長波長積分値ＳＬ１０、第２長波長積分値ＳＬ２０、第３長波長積分値ＳＬ３０、および、第４長波長積分値ＳＬ４０の少なくとも１つに基づいて規定される。長波長全積分値ＳＬおよび美容作用促進値ＸＬＢの関係は、一例として、第１長波長積分値ＳＬ１０、第２長波長積分値ＳＬ２０、第３長波長積分値ＳＬ３０、および、第４長波長積分値ＳＬ４０に基づいて規定されている。第１長波長積分値ＳＬ１０、第２長波長積分値ＳＬ２０、第３長波長積分値ＳＬ３０、および、第４長波長積分値ＳＬ４０の合計は、美容作用促進値ＸＬＢ以上の大きさを取る。このため、長波長全積分値ＳＬは、美容作用促進値ＸＬＢ以上の大きさを取る。
【０１８３】
第２照射光ＺＢの長波長全積分値ＳＬは、一例として、「６７７０００〜７４９０００μＷ／ｃｍ２」の範囲に含まれるいずれかの大きさを取る。第１長波長積分値ＳＬ１０は、一例として、「２７５０００〜３０３０００μＷ／ｃｍ２」の範囲に含まれるいずれかの大きさを取る。第２長波長積分値ＳＬ２０は、一例として、「２３６０００〜２６００００μＷ／ｃｍ２」の範囲に含まれるいずれかの大きさを取る。第３長波長積分値ＳＬ３０は、一例として、「９６０００〜１０６０００μＷ／ｃｍ２」の範囲に含まれるいずれかの大きさを取る。第４長波長積分値ＳＬ４０は、一例として、「７００００〜８００００μＷ／ｃｍ２」の範囲に含まれるいずれかの大きさを取る。
【０１８４】
第２照射光ＺＢは、８００ｎｍ以上かつ８６０ｎｍ未満の波長範囲において有意なピークを有していない。第２照射光ＺＢは、８６０ｍｍ〜１０００ｎｍの波長範囲に複数の有意なピークを有する。第２照射光ＺＢは、第１長波長範囲ＷＬ１０おいて最大ピークを有する。第２照射光ＺＢの最大ピークは、一例として、「９０００〜１１０００μＷ／ｃｍ２／ｎｍ」の範囲に含まれるいずれかの大きさを取る。
【０１８５】
第４実施形態の体毛用光美容装置１０は、第１実施形態の体毛用光美容装置１０が奏する種々の効果と同様の効果を奏する。ただし、第４実施形態の体毛用光美容装置１０は、第４実施形態の第２照射光ＺＢに存在せず、第１実施形態の第２照射光ＺＢに存在する特徴に基づいて得られる第１実施形態の効果を奏さない。
【０１８６】
（第５実施形態）
図１は、第５実施形態の体毛用光美容装置１０の一形態を示している。
第５実施形態の体毛用光美容装置１０は、複数の構成要素を有する。第５実施形態の複数の構成要素は、第１実施形態の体毛用光美容装置１０が有する複数の構成要素と同様または類似の構造および機能を有する。第５実施形態の体毛用光美容装置１０の説明は、第１実施形態の構成要素と同様または類似の構造および機能を有する第５実施形態の構成要素の説明の一部または全部を省略する。第５実施形態の体毛用光美容装置１０の説明は、第１実施形態の構成要素と同様または類似の構造および機能を有する第５実施形態の構成要素の少なくとも一部に対して、第１実施形態の構成要素と同一の符号を付している。
【０１８７】
第５実施形態の体毛用光美容装置１０は、第２照射光ＺＢの光源スペクトルが第１実施形態の体毛用光美容装置１０と異なる。第５実施形態の第２照射光ＺＢは、図１１に示される光源スペクトルを有する。図１１の第２照射光ＺＢの光源スペクトルは、第４実施形態の第２照射光ＺＢの光源スペクトルに類似した特徴を有する。第５実施形態の体毛用光美容装置１０は、その他の点において第１実施形態の体毛用光美容装置１０に準じた構成を有する。
【０１８８】
第５実施形態の体毛用光美容装置１０は、第１実施形態の体毛用光美容装置１０が奏する種々の効果と同様の効果を奏する。ただし、第５実施形態の体毛用光美容装置１０は、第５実施形態の第２照射光ＺＢに存在せず、第１実施形態の第２照射光ＺＢに存在する特徴に基づいて得られる第１実施形態の効果を奏さない。
【０１８９】
（その他の実施形態）
本体毛用光美容装置は、各実施形態とは異なるその他の実施形態を含む。その他の実施形態は、一例として、以下に示される各実施形態の変形例の形態を有する。なお、以下の各変形例は、技術的に矛盾しない範囲において互いに組み合わせることができる。
【０１９０】
・第１実施形態の第１照射光ＺＡは、第１長波長範囲ＷＬ１０において最大ピークを有する。ただし、第１照射光ＺＡの最大ピークが形成される波長範囲は、第１実施形態に例示された内容に限られない。変形例の第１照射光ＺＡは、第２長波長範囲ＷＬ２０、第３長波長範囲ＷＬ３０、または、第４長波長範囲ＷＬ４０に最大ピークを有する。
【０１９１】
・第１実施形態の第１照射光ＺＡは、第２短波長後段積分値ＳＳ２２、第３短波長積分値ＳＳ３０、および、第４短波長積分値ＳＳ４０に基づいて、短波長高位積分値ＳＳＢおよび黒毛作用促進値ＸＳＢの関係を規定している。ただし、短波長高位積分値ＳＳＢおよび黒毛作用促進値ＸＳＢの関係を規定する形態は、第１実施形態に例示された内容に限られない。変形例の第１照射光ＺＡは、一例として、第１短波長規定形態または第２短波長規定形態を有する。なお、第２実施形態〜第５実施形態の体毛用光美容装置１０においても同様の変形が成立する。
【０１９２】
第１短波長規定形態は、第１照射光ＺＡの第２短波長後段積分値ＳＳ２２、第３短波長積分値ＳＳ３０、および、第４短波長積分値ＳＳ４０のうちの任意の１つの積分値が、黒毛作用促進値ＸＳＢ以上の大きさを取る。このため、第１照射光ＺＡの短波長高位積分値ＳＳＢは、黒毛作用促進値ＸＳＢ以上の大きさを取る。
【０１９３】
第２短波長規定形態は、第１照射光ＺＡの第２短波長後段積分値ＳＳ２２、第３短波長積分値ＳＳ３０、および、第４短波長積分値ＳＳ４０のうちの任意の２つの積分値の合計が、黒毛作用促進値ＸＳＢ以上の大きさを取る。このため、第１照射光ＺＡの短波長高位積分値ＳＳＢは、黒毛作用促進値ＸＳＢ以上の大きさを取る。
【０１９４】
・第１実施形態の第１照射光ＺＡは、第１長波長積分値ＳＬ１０、第２長波長積分値ＳＬ２０、第３長波長積分値ＳＬ３０、および、第４長波長積分値ＳＬ４０に基づいて、長波長全積分値ＳＬおよび長波長規定値ＸＬＡの関係を規定している。ただし、長波長全積分値ＳＬおよび長波長規定値ＸＬＡの関係を規定する形態は、第１実施形態に例示された内容に限られない。変形例の第１照射光ＺＡは、一例として、第１長波長規定形態〜第３長波長規定形態のいずれかの形態を有する。なお、第４実施形態および第５実施形態の体毛用光美容装置１０においても同様の変形が成立する。
【０１９５】
第１長波長規定形態は、第１照射光ＺＡの第１長波長積分値ＳＬ１０〜第４長波長積分値ＳＬ４０のうちの任意の１つの積分値が、長波長規定値ＸＬＡ以上の大きさを取る。このため、第１照射光ＺＡの長波長全積分値ＳＬは、長波長規定値ＸＬＡ以上の大きさを取る。
【０１９６】
第２長波長規定形態は、第１照射光ＺＡの第１長波長積分値ＳＬ１０〜第４長波長積分値ＳＬ４０のうちの任意の２つの積分値の合計が、長波長規定値ＸＬＡ以上の大きさを取る。このため、第１照射光ＺＡの長波長全積分値ＳＬは、長波長規定値ＸＬＡ以上の大きさを取る。
【０１９７】
第３長波長規定形態は、第１照射光ＺＡの第１長波長積分値ＳＬ１０〜第４長波長積分値ＳＬ４０のうちの任意の３つの積分値の合計が、長波長規定値ＸＬＡ以上の大きさを取る。このため、第１照射光ＺＡの長波長全積分値ＳＬは、長波長規定値ＸＬＡ以上の大きさを取る。
【０１９８】
・第１実施形態の第１照射光ＺＡは、長波長全積分値ＳＬが長波長規定値ＸＬＡ以上の大きさを取る。ただし、第１照射光ＺＡの長波長全積分値ＳＬの大きさは、第１実施形態に例示された内容に限られない。変形例の第１照射光ＺＡは、長波長全積分値ＳＬが長波長規定値ＸＬＡ未満の大きさを取る。体毛用光美容装置１０は、この第１照射光ＺＡを照射する場合においても、次の２つの条件の少なくとも一方を満たすことにより、第１実施形態の体毛用光美容装置１０が奏する効果に準じた効果を奏する。１つ目の条件は、第１照射光ＺＡの短波長全積分値ＳＳが皮膚作用抑制値ＸＳＣ以上の大きさを取ることを示す。２つ目の条件は、第１照射光ＺＡの短波長全積分値ＳＳが第２照射光ＺＢの短波長全積分値ＳＳよりも大きいことを示す。なお、第２実施形態〜第５実施形態の体毛用光美容装置１０においても同様の変形が成立する。
【０１９９】
・第１実施形態の第２照射光ＺＢは、第１長波長積分値ＳＬ１０、第２長波長積分値ＳＬ２０、第３長波長積分値ＳＬ３０、および、第４長波長積分値ＳＬ４０に基づいて、長波長全積分値ＳＬおよび美容作用促進値ＸＬＢの関係を規定している。ただし、長波長全積分値ＳＬおよび美容作用促進値ＸＬＢの関係を規定する形態は、第１実施形態に例示された内容に限られない。変形例の第２照射光ＺＢは、一例として、第１長波長規定形態〜第３長波長規定形態のいずれかの形態を有する。なお、第２実施形態〜第５実施形態の体毛用光美容装置１０においても同様の変形が成立する。
【０２００】
第１長波長規定形態は、第２照射光ＺＢの第１長波長積分値ＳＬ１０〜第４長波長積分値ＳＬ４０のうちの任意の１つの積分値が、美容作用促進値ＸＬＢ以上の大きさを取る。このため、第２照射光ＺＢの長波長全積分値ＳＬは、美容作用促進値ＸＬＢ以上の大きさを取る。
【０２０１】
第２長波長規定形態は、第２照射光ＺＢの第１長波長積分値ＳＬ１０〜第４長波長積分値ＳＬ４０のうちの任意の２つの積分値の合計が、美容作用促進値ＸＬＢ以上の大きさを取る。このため、第２照射光ＺＢの長波長全積分値ＳＬは、美容作用促進値ＸＬＢ以上の大きさを取る。
【０２０２】
第３長波長規定形態は、第２照射光ＺＢの第１長波長積分値ＳＬ１０〜第４長波長積分値ＳＬ４０のうちの任意の３つの積分値の合計が、美容作用促進値ＸＬＢ以上の大きさを取る。このため、第２照射光ＺＢの長波長全積分値ＳＬは、美容作用促進値ＸＬＢ以上の大きさを取る。
【０２０３】
・第１実施形態の第２照射光ＺＢは、第２長波長範囲ＷＬ２０において最大ピークを有する。ただし、第２照射光ＺＢの最大ピークが形成される波長範囲は、第１実施形態に例示された内容に限られない。変形例の第２照射光ＺＢは、第１長波長範囲ＷＬ１０、第３長波長範囲ＷＬ３０、または、第４長波長範囲ＷＬ４０に最大ピークを有する。
【０２０４】
・第１実施形態の第２照射光ＺＢは、長波長範囲ＷＬにおいて複数の有意なピークを有する。ただし、第２照射光ＺＢの光源スペクトルは、第１実施形態に例示された内容に限られない。変形例の第２照射光ＺＢは、一例として、長波長範囲ＷＬにおいて有意なピークを有していない。体毛用光美容装置１０は、この第２照射光ＺＢを照射する場合においても、次の２つの条件の少なくとも一方を満たすことにより、第１実施形態の体毛用光美容装置１０が奏する効果に準じた効果を奏する。１つ目の条件は、第２照射光ＺＢの長波長全積分値ＳＬが第２長波長規定値ＳＬ２以上の大きさを取ることを示す。２つ目の条件は、第２照射光ＺＢの長波長全積分値ＳＬが第１照射光ＺＡの長波長全積分値ＳＬよりも大きいことを示す。なお、第２実施形態〜第５実施形態の体毛用光美容装置１０においても同様の変形が成立する。
【０２０５】
・第１実施形態の美容作用促進値ＸＬＢは、長波長規定値ＸＬＡよりも大きい。ただし、長波長規定値ＸＬＡおよび美容作用促進値ＸＬＢの関係は、第１実施形態に例示された内容に限られない。変形例の美容作用促進値ＸＬＢは、長波長規定値ＸＬＡと等しい、または、長波長規定値ＸＬＡよりも小さい。
【０２０６】
・第１実施形態の制御部６０は、複合照射動作における第１照射光ＺＡの光照射条件、および、複合照射動作における第２照射光ＺＢの光照射条件を同じ内容に設定する。ただし、複合照射動作における光照射条件の設定内容は、第１実施形態に例示された内容に限られない。変形例の制御部６０は、第１照射光ＺＡの光照射条件、および、第２照射光ＺＢの光照射条件を互いに異ならせる。
【０２０７】
・第１実施形態の体毛用光美容装置１０は、４００ｎｍ〜８００ｎｍの波長範囲を短波長範囲ＷＳとして規定している。ただし、短波長範囲ＷＳの内容は、第１実施形態に例示された内容に限られない。変形例の短波長範囲ＷＳは、一例として、４００ｎｍ以上かつ８００ｎｍ未満の波長範囲、または、４００ｎｍよりも長くかつ８００ｎｍ未満の波長範囲、または、４００ｎｍよりも長くかつ８００ｎｍ以下の波長範囲を有する。なお、第２実施形態〜第５実施形態の体毛用光美容装置１０においても同様の変形が成立する。
【０２０８】
・第１実施形態の体毛用光美容装置１０は、４００ｎｍ〜５００ｎｍの波長範囲を第１短波長範囲ＷＳ１０として規定している。ただし、第１短波長範囲ＷＳ１０の内容は、第１実施形態に例示された内容に限られない。変形例の第１短波長範囲ＷＳ１０は、一例として、４００ｎｍ以上かつ５００ｎｍ未満の波長範囲、または、４００ｎｍよりも長くかつ５００ｎｍ未満の波長範囲、または、４００ｎｍよりも長くかつ５００ｎｍ以下の波長範囲を有する。なお、第２実施形態〜第５実施形態の体毛用光美容装置１０においても同様の変形が成立する。
【０２０９】
・第１実施形態の体毛用光美容装置１０は、５００ｎｍ〜６００ｎｍの波長範囲を第２短波長範囲ＷＳ２０として規定している。ただし、第２短波長範囲ＷＳ２０の内容は、第１実施形態に例示された内容に限られない。変形例の第２短波長範囲ＷＳ２０は、一例として、５００ｎｍ以上かつ６００ｎｍ未満の波長範囲、または、５００ｎｍよりも長くかつ６００ｎｍ未満の波長範囲、または、５００ｎｍよりも長くかつ６００ｎｍ以下の波長範囲を有する。なお、第２実施形態〜第５実施形態の体毛用光美容装置１０においても同様の変形が成立する。
【０２１０】
・第１実施形態の体毛用光美容装置１０は、６００ｎｍ〜７００ｎｍの波長範囲を第３短波長範囲ＷＳ３０として規定している。ただし、第３短波長範囲ＷＳ３０の内容は、第１実施形態に例示された内容に限られない。変形例の第３短波長範囲ＷＳ３０は、一例として、６００ｎｍ以上かつ７００ｎｍ未満の波長範囲、または、６００ｎｍよりも長くかつ７００ｎｍ未満の波長範囲、または、６００ｎｍよりも長くかつ７００ｎｍ以下の波長範囲を有する。なお、第２実施形態〜第５実施形態の体毛用光美容装置１０においても同様の変形が成立する。
【０２１１】
・第１実施形態の体毛用光美容装置１０は、７００ｎｍ〜８００ｎｍの波長範囲を第４短波長範囲ＷＳ４０として規定している。ただし、第４短波長範囲ＷＳ４０の内容は、第１実施形態に例示された内容に限られない。変形例の第４短波長範囲ＷＳ４０は、一例として、７００ｎｍ以上かつ８００ｎｍ未満の波長範囲、または、７００ｎｍよりも長くかつ８００ｎｍ未満の波長範囲、または、７００ｎｍよりも長くかつ８００ｎｍ以下の波長範囲を有する。なお、第２実施形態〜第５実施形態の体毛用光美容装置１０においても同様の変形が成立する。
【０２１２】
・第１実施形態の体毛用光美容装置１０は、８００ｎｍ〜１２００ｎｍの波長範囲を長波長範囲ＷＬとして規定している。ただし、長波長範囲ＷＬの内容は、第１実施形態に例示された内容に限られない。変形例の長波長範囲ＷＬは、一例として、８００ｎｍ以上かつ１２００ｎｍ未満の波長範囲、または、８００ｎｍよりも長くかつ１２００ｎｍ未満の波長範囲、または、８００ｎｍよりも長くかつ１２００ｎｍ以下の波長範囲を有する。なお、第２実施形態〜第５実施形態の体毛用光美容装置１０においても同様の変形が成立する。
【０２１３】
・第１実施形態の体毛用光美容装置１０は、８００ｎｍ〜９００ｎｍの波長範囲を第１長波長範囲ＷＬ１０として規定している。ただし、第１長波長範囲ＷＬ１０の内容は、第１実施形態に例示された内容に限られない。変形例の第１長波長範囲ＷＬ１０は、一例として、８００ｎｍ以上かつ９００ｎｍ未満の波長範囲、または、８００ｎｍよりも長くかつ９００ｎｍ未満の波長範囲、または、８００ｎｍよりも長くかつ９００ｎｍ以下の波長範囲を有する。なお、第２実施形態〜第５実施形態の体毛用光美容装置１０においても同様の変形が成立する。
【０２１４】
・第１実施形態の体毛用光美容装置１０は、９００ｎｍ〜１０００ｎｍの波長範囲を第２長波長範囲ＷＬ２０として規定している。ただし、第２長波長範囲ＷＬ２０の内容は、第１実施形態に例示された内容に限られない。変形例の第２長波長範囲ＷＬ２０は、一例として、９００ｎｍ以上かつ１０００ｎｍ未満の波長範囲、または、９００ｎｍよりも長くかつ１０００ｎｍ未満の波長範囲、または、９００ｎｍよりも長くかつ１０００ｎｍ以下の波長範囲を有する。なお、第２実施形態〜第５実施形態の体毛用光美容装置１０においても同様の変形が成立する。
【０２１５】
・第１実施形態の体毛用光美容装置１０は、１０００ｎｍ〜１１００ｎｍの波長範囲を第３長波長範囲ＷＬ３０として規定している。ただし、第３長波長範囲ＷＬ３０の内容は、第１実施形態に例示された内容に限られない。変形例の第３長波長範囲ＷＬ３０は、一例として、１０００ｎｍ以上かつ１１００ｎｍ未満の波長範囲、または、１０００ｎｍよりも長くかつ１１００ｎｍ未満の波長範囲、または、１０００ｎｍよりも長くかつ１１００ｎｍ以下の波長範囲を有する。なお、第２実施形態〜第５実施形態の体毛用光美容装置１０においても同様の変形が成立する。
【０２１６】
・第１実施形態の体毛用光美容装置１０は、１１００ｎｍ〜１２００ｎｍの波長範囲を第４長波長範囲ＷＬ４０として規定している。ただし、第４長波長範囲ＷＬ４０の内容は、第１実施形態に例示された内容に限られない。変形例の第４長波長範囲ＷＬ４０は、一例として、１０００ｎｍ以上かつ１１００ｎｍ未満の波長範囲、または、１０００ｎｍよりも長くかつ１１００ｎｍ未満の波長範囲、または、１０００ｎｍよりも長くかつ１１００ｎｍ以下の波長範囲を有する。なお、第２実施形態〜第５実施形態の体毛用光美容装置１０においても同様の変形が成立する。
【０２１７】
・第１実施形態の体毛用光美容装置１０は、第１照射光ＺＡの短波長低位積分値ＳＳＡが皮膚作用抑制値ＸＳＡ未満の大きさを取ることにより、第１実施形態の（Ｂ０２）の効果を奏する。ただし、この効果を奏することに寄与する第１照射光ＺＡの光源スペクトルは、第１実施形態に例示された内容に限られない。変形例の体毛用光美容装置１０は、第１照射光ＺＡの４００ｎｍ〜６００ｎｍの波長範囲、４００ｎｍ〜５００ｎｍの波長範囲、または、４００ｎｍ〜４５０ｎｍの波長範囲における強度の積分値が、皮膚作用抑制値ＸＳＡ未満の大きさを取る。この体毛用光美容装置１０は、第１実施形態の（Ｂ０２）の効果を奏する。なお、第４実施形態および第５実施形態の体毛用光美容装置１０においても同様の変形が成立する。
【０２１８】
・第１実施形態の体毛用光美容装置１０は、アクリル、ポリカーボネート、または、ガラスにより形成されたレンズ３５を有する。ただし、レンズ３５の構造は、第１実施形態に例示された内容に限られない。変形例のレンズは、一例として、基材に光吸収成分が混ぜられた構造を有する。なお、第２実施形態〜第５実施形態の体毛用光美容装置１０においても同様の変形が成立する。
【０２１９】
・第１実施形態の体毛用光美容装置１０は、個別に形成されたレンズ３５およびフィルター部３６を有する。ただし、レンズ３５およびフィルター部３６の構造は、第１実施形態に例示された内容に限られない。変形例の体毛用光美容装置１０は、レンズ３５およびフィルター部３６に代えて、第１光透過部品および第２光透過部品を有する。第１光透過部品は、レンズ３５および第１フィルター３７が一体化された構造に相当する構造を有する。第２光透過部品は、レンズ３５および第２フィルター３８が一体化された構造に相当する構造を有する。切替部４０は、第１光透過部品および第２光透過部品の位置を入れ替えることにより、第１照射機能または第２照射機能を形成する。なお、第２実施形態〜第５実施形態の体毛用光美容装置１０においても同様の変形が成立する。
【０２２０】
・第１実施形態の体毛用光美容装置１０は、光の強度を分光放射照度により規定している。ただし、光の強度を規定する方法は、第１実施形態に例示された内容に限られない。変形例の体毛用光美容装置１０は、一例として、光の強度を分光放射エネルギー密度（μＪ／ｃｍ２／ｎｍ）により規定する。なお、第２実施形態〜第５実施形態の体毛用光美容装置１０においても同様の変形が成立する。
【０２２１】
・第１実施形態の体毛用光美容装置１０は、電源スイッチ２３の１回の操作に基づいて、１回の複合照射動作を行う。ただし、光の照射方法は、第１実施形態に例示された内容に限られない。変形例の体毛用光美容装置１０は、一例として、前段照射用操作部および後段照射用操作部を有する。前段照射用操作部は、ヒューマンマシンインターフェースの形態を有し、第１照射光ＺＡを照射するために操作される。後段照射用操作部は、ヒューマンマシンインターフェースの形態を有し、第２照射光ＺＢを照射するために操作される。制御部６０は、前段照射用操作部が操作されたことに基づいて、体毛用光美容装置１０に第１照射光ＺＡを照射させる。制御部６０は、後段照射用操作部が操作されたことに基づいて、体毛用光美容装置１０に第２照射光ＺＢを照射させる。変形例の体毛用光美容装置１０は、前段照射用操作部および後段照射用操作部の順に各操作部が操作されることにより、複合照射動作による光の照射を行う。この体毛用光美容装置１０は、一例として、前段照射用操作部および後段照射用操作部の一方を電源スイッチ２３と兼用することができる。なお、第２実施形態〜第５実施形態の体毛用光美容装置１０においても同様の変形が成立する。
【０２２２】
（実施例１）
本願発明者は、各実施形態の体毛用光美容装置１０により得られる黒毛作用の促進効果を黒毛実証試験により確認した。本願発明者は、一例として、第１実施形態〜第３実施形態の体毛用光美容装置１０を黒毛実証試験に用いた。
【０２２３】
黒毛実証試験は、金髪を有する被験者の腕（以下、「光照射腕」）を光の照射対象として用いた。黒毛実証試験は、光照射腕のサンプル数を７に設定した。黒毛実証試験は、光照射腕の一部に観察対象部位を形成した。黒毛実証試験は、光照射腕の所定部位における体毛の全部を剃ることにより、光照射腕に観察対象部位を形成した。光照射腕の観察対象部位は、４ｃｍ×５ｃｍの長方形に類似する形状を有する。
【０２２４】
黒毛実証試験は、基準となる体毛の成長を観察するため、金髪を有する別の被験者の腕（以下、「非照射腕」）を、光を照射しない腕として用いた。黒毛実証試験は、非照射腕のサンプル数を７に設定した。黒毛実証試験は、非照射腕の一部に観察対象部位を形成した。黒毛実証試験は、非照射腕の所定部位における体毛の全部を剃ることにより、非照射腕に観察対象部位を形成した。非照射腕の観察対象部位は、４ｃｍ×５ｃｍの長方形に類似する形状を有する。
【０２２５】
黒毛実証試験は、複数の実験条件を規定し、規定した実験条件下において光照射腕の観察対象部位に光を照射した。黒毛実証試験は、第１実施形態〜第３実施形態の体毛用光美容装置１０により光照射腕に第１照射光ＺＡを照射した。黒毛実証試験は、光照射腕および非照射腕の観察対象部位における体毛の変化を、予め設定した観察時期（以下、「経過観察時期」）に観察した。
【０２２６】
黒毛実証試験は、観察対象部位における黒毛作用の促進度合を「黒毛率」として定量化した。黒毛実証試験は、観察開始前における黒毛の本数を基準として、各観察経過時期における黒毛率を算出した。
【０２２７】
黒毛実証試験は、観察対象部位の形成前において観察対象部位を形成する予定の部位（以下、「予定対象部位」）の画像を取得し、画像解析により剃毛前体毛本数および剃毛前黒毛本数を算出した。剃毛前体毛本数は、予定対象部位に存在する全ての体毛の本数を示す。剃毛前黒毛本数は、予定対象部位に存在する全ての黒毛の本数を示す。黒毛実証試験は、剃毛前黒毛本数を剃毛前体毛本数により除算した数値を「剃毛前演算値」として算出した。
【０２２８】
黒毛実証試験は、経過観察時期において観察対象部位の画像を取得し、画像解析により観察時体毛本数および観察時黒毛本数を算出した。観察時体毛本数は、経過観察時期において観察対象部位に存在する全ての体毛の本数を示す。観察時黒毛本数は、経過観察時期において観察対象部位に存在する全ての黒毛の本数を示す。黒毛実証試験は、観察時黒毛本数を観察時体毛本数により除算した数値を「観察時演算値」として算出した。
【０２２９】
黒毛実証試験は、観察時演算値と剃毛前演算値との差を黒毛率として算出した。なお、以下の［表１］〜［表４］における第１実施形態〜第３実施形態の欄は、全ての光照射腕の黒毛率の平均値を示している。［表１］〜［表４］の比較例の欄は、全ての非照射腕の黒毛率の平均値を示している。
【０２３０】
黒毛率は、光照射腕の観察対象部位における黒毛の本数の増加度合と、非照射腕の観察対象部位における黒毛の本数の増加度合との差を示す。「０」の黒毛率は、光照射腕の観察対象部位および非照射腕の観察対象部位において、黒毛の本数の増加度合に差が生じていないことを示唆する。「０」よりも大きい黒毛率は、光照射腕の観察対象部位における黒毛の本数の増加度合が、非照射腕の観察対象部位における黒毛の本数の増加度合よりも高いことを示唆する。すなわち、黒毛率は、「０」との差が大きくなるにつれて、観察対象部位への光の照射により、黒毛作用がより強く促進されていることを示唆する。
【０２３１】
黒毛実証試験は、複数の実験条件として、光エネルギー密度、光の照射時間、光の照射サイクル、光の単位照射回数、光の合計照射回数、観察開始時期、および、経過観察時期を以下のとおり規定した。
【０２３２】
黒毛実証試験は、光エネルギー密度として、０．２（Ｊ／ｃｍ２）、１．０（Ｊ／ｃｍ２）、および、１．５（Ｊ／ｃｍ２）の３種類を設定した。光エネルギー密度は、一例として、光源３３に供給される電力量に基づいて測定することができる。
【０２３３】
黒毛実証試験は、光の照射時間として、０．６ｍｓ、１．０ｍｓ、および、２．０ｍｓの３種類を設定した。光の照射時間は、一例として、制御部６０から光源３３に出力される信号に基づいて測定することができる。
【０２３４】
黒毛実証試験は、光の照射サイクルとして、３０秒および６０秒の２種類を設定した。光の照射サイクルは、１日あたりの光の照射期間において、先の第１照射光ＺＡの照射が終了してから、次の第１照射光ＺＡの照射が開始されるまでの期間を示す。光の照射サイクルは、一例として、制御部６０から光源３３に出力される信号に基づいて測定することができる。
【０２３５】
黒毛実証試験は、光の単位照射回数として、４回／日および８回／日の２種類を設定した。光の単位照射回数は、体毛用光美容装置１０が観察対象部位に対して、１日あたりに第１照射光ＺＡを照射する回数を示す。
【０２３６】
黒毛実証試験は、光の合計照射回数として、２４回および４８回の２種類を設定した。光の合計照射回数は、光の単位照射回数、および、光を照射する日数を乗算した回数を示す。黒毛実証試験は、光を照射する日数を６日に設定している。
【０２３７】
黒毛実証試験は、観察開始時期として、光照射腕および非照射腕に観察対象部位を形成した直後の時期を設定した。剃毛前演算値は、観察開始時期の前の剃毛前体毛本数および剃毛前黒毛本数に基づいて算出される。
【０２３８】
黒毛実証試験は、経過観察時期として、１週間後、３週間後、および、６週間後の３種類を設定した。黒毛実証試験は、光照射腕および非照射腕に対して同じ経過観察時期を設定した。光照射腕および非照射腕の経過観察時期は、任意の光照射腕に対する光の照射時期を基準として測定することができる。
【０２３９】
黒毛実証試験は、経過観察時期において観察時演算値を算出する。黒毛実証試験は、観察時演算値を算出した後、１日あたりの規定回数の照射を行う。黒毛実証試験は、観察開始時期から１週間が経過する毎に光照射腕に対して光を照射する。
【０２４０】
経過観察時期としての１週間後は、光照射腕および非照射腕のそれぞれに観察対象部位を形成した直後から６日が経過した時期に相当する。３週間後は、光照射腕および非照射腕のそれぞれに観察対象部位を形成した直後から１８日が経過した時期に相当する。６週間後は、光照射腕および非照射腕のそれぞれに観察対象部位を形成した直後から３６日が経過した時期に相当する。
【０２４１】
本願発明者は、光の照射サイクル、光の単位照射回数、および光の合計照射回数を組み合わせて複数の黒毛実証試験の条件を設定した。複数の黒毛実証試験は、以下の第１黒毛実証試験、第２黒毛実証試験、第３黒毛実証試験、および、第４黒毛実証試験を含む。
【０２４２】
第１黒毛実証試験は、光の照射サイクルを３０秒に設定し、光の単位照射回数を４回／日に設定し、光の合計照射回数を２４回に設定した。［表１］は、第１黒毛実証試験により得られた測定結果を示す。
【０２４３】
第２黒毛実証試験は、光の照射サイクルを３０秒に設定し、光の単位照射回数を８回／日に設定し、光の合計照射回数を４８回に設定した。［表２］は、第２黒毛実証試験により得られた測定結果を示す。
【０２４４】
第３黒毛実証試験は、光の照射サイクルを６０秒に設定し、光の単位照射回数を４回／日に設定し、光の合計照射回数を２４回に設定した。［表３］は、第３黒毛実証試験により得られた測定結果を示す。
【０２４５】
第４黒毛実証試験は、光の照射サイクルを６０秒に設定し、光の単位照射回数を８回／日に設定し、光の合計照射回数を４８回に設定した。［表４］は、第４黒毛実証試験により得られた測定結果を示す。
【０２４６】
［表１］
2014212810.tif 000003
［表２］
2014212810.tif 000004
［表３］
2014212810.tif 000005
［表４］
2014212810.tif 000006
各表は、以下の事項を示唆している。以下の説明は、第１実施形態の黒毛率、第２実施形態の黒毛率、第３実施形態の黒毛率、および、比較例の黒毛率の用語を用いている。第１実施形態の黒毛率は、第１実施形態の体毛用光美容装置１０により得られた黒毛率を示す。第２実施形態の黒毛率は、第２実施形態の体毛用光美容装置１０により得られた黒毛率を示す。第３実施形態の黒毛率は、第３実施形態の体毛用光美容装置１０により得られた黒毛率を示す。比較例の黒毛率は、非照射腕の黒毛率を示す。
【０２４７】
各表は、第１実施形態〜第３実施形態の黒毛率と比較例の黒毛率との対比を明確化するため、光エネルギー密度の行に比較例の黒毛率を記述している。ただし、この記述は、比較例の非照射腕に対して光を照射したことを意味していない。
【０２４８】
比較例の黒毛率は、観察開始時期から６週間が経過するまでの期間において、有意な変化を示さない。第１実施形態〜第３実施形態の黒毛率は、観察開始時期から１週間が経過するまでの期間において、比較例の黒毛率に対して有意な差を示さない。第１実施形態〜第３実施形態の黒毛率は、観察開始時期から３週間が経過したとき、比較例の黒毛率よりも大きい値を示す。第１実施形態〜第３実施形態の抑毛率は、観察開始時期から３週間が経過した後、経過時間が長くなるにつれてより大きい値を示す。第１実施形態〜第３実施形態の黒毛率は、光エネルギー密度が高くなるにつれて大きい値を示す。
【０２４９】
第１実施形態〜第３実施形態の黒毛率は、［表１］〜［表４］に示される結果から、比較例の黒毛率に対して有意な差を持つと考えられる。すなわち、黒毛実証試験に関する結果は、体毛用光美容装置１０の第１照射光ＺＡが照射された生体において、黒毛作用が促進されることを示唆している。
【０２５０】
（実施例２）
本願発明者は、各実施形態の体毛用光美容装置１０により得られる効果を抑毛実証試験により確認した。本願発明者は、一例として、第１実施形態、第４実施形態、および、第５実施形態の体毛用光美容装置１０を抑毛実証試験に用いた。抑毛実証試験は、比較例の体毛用光美容装置（以下、「比較例光美容装置」）を用い、この光美容装置との対比に基づいて効果を確認した。
【０２５１】
比較例光美容装置は、次の点において体毛用光美容装置１０と相違し、他の点において体毛用光美容装置１０と同じ構成を有する。比較例光美容装置は、レンズおよびフィルター部の種類が各実施形態の体毛用光美容装置１０と異なる。このため、比較例光美容装置の光源から照射された光は、比較例光美容装置のレンズおよびフィルター部を透過することにより、各実施形態の体毛用光美容装置１０とは異なる光源スペクトルを形成する。図１２は、比較例光美容装置により照射された光（以下、「比較照射光」）の光源スペクトルを示す。図１２の光源スペクトルは、キセノンフラッシュランプが有する標準的な光源スペクトルに相当する。
【０２５２】
抑毛実証試験は、黒毛実証試験と同様、金髪を有する光照射腕を光の照射対象として用いた。抑毛実証試験は、光照射腕のサンプル数を７に設定した。抑毛実証試験は、光照射腕の一部に観察対象部位を形成した。抑毛実証試験は、光照射腕の所定部位における体毛の全部を剃ることにより、光照射腕に観察対象部位を形成した。光照射腕の観察対象部位は、４ｃｍ×５ｃｍの長方形に類似する形状を有する。
【０２５３】
抑毛実証試験は、基準となる体毛の成長を観察するため、黒毛実証試験と同様、金髪を有する別の被験者の非照射腕を、光を照射しない腕として用いた。抑毛実証試験は、非照射腕のサンプル数を７に設定した。抑毛実証試験は、非照射腕の一部に観察対象部位を形成した。抑毛実証試験は、非照射腕の所定部位における体毛の全部を剃ることにより、非照射腕に観察対象部位を形成した。非照射腕の観察対象部位は、４ｃｍ×５ｃｍの長方形に類似する形状を有する。
【０２５４】
抑毛実証試験は、複数の実験条件を規定し、規定した実験条件下において、第１実施形態、第４実施形態、および、第５実施形態の体毛用光美容装置１０、ならびに、比較例光美容装置により光照射腕の観察対象部位に光を照射した。抑毛実証試験は、体毛用光美容装置１０により複合照射動作に基づく光の照射を実行し、比較例光美容装置により比較照射光の照射を実行した。抑毛実証試験は、光照射腕および非照射腕の観察対象部位における体毛の変化を、予め設定した経過観察時期に観察した。
【０２５５】
抑毛実証試験は、腕の体毛の量を「体毛量」として定量化した。抑毛実証試験は、腕の所定部位に存在する体毛の本数、および、この所定部位に存在する体毛の合計長さの乗算の結果を体毛量として規定した。抑毛実証試験は、経過観察時期において観察対象部位の画像を取得し、画像解析により体毛の本数、および、体毛の合計長さを取得し、取得した体毛の本数、および、体毛の合計長さに基づいて体毛量を算出した。体毛の合計長さは、腕の所定部位に存在する個々の体毛の長さを合計した長さを示す。
【０２５６】
抑毛実証試験は、光照射腕の観察対象部位において体毛の成長速度が低下している度合を「抑毛率」として定量化した。抑毛実証試験は、光照射腕の観察対象部位の体毛量（以下、「光照射体毛量」）を非照射腕の観察対象部位の体毛量（以下、「非照射体毛量」）により除算した数値を抑毛率として規定した。抑毛実証試験は、光照射腕の観察対象部位の画像に基づいて、光照射体毛量を算出した。抑毛実証試験は、全ての光照射腕の光照射体毛量に基づいて光照射体毛量の平均値を算出した。抑毛実証試験は、非照射腕の観察対象部位の画像に基づいて、非照射体毛量を算出した。抑毛実証試験は、全ての非照射腕の非照射体毛量に基づいて非照射体毛量の平均値を算出した。抑毛実証試験は、光照射体毛量の平均値および非照射体毛量の平均値を用いて抑毛率を算出した。
【０２５７】
抑毛率は、光照射腕の観察対象部位における体毛の成長速度が、非照射腕の観察対象部位における体毛の成長速度に対して有する遅れの度合を示す。「１」の抑毛率は、光照射腕の観察対象部位における体毛の成長速度が、非照射腕の観察対象部位における体毛の成長速度と同じ大きさを有することを示唆する。「１」未満の抑毛率は、光照射腕の観察対象部位における体毛の成長速度が、非照射腕の観察対象部位における体毛の成長速度よりも遅れていることを示唆する。抑毛率は、「１」から「０」に近付くにつれて、光照射腕の観察対象部位における体毛の成長速度が、非照射腕の観察対象部位における体毛の成長速度よりも遅れている度合が大きいことを示唆する。すなわち、抑毛率は、「１」から「０」に近付くにつれて、観察対象部位への光の照射により抑毛作用がより強く促進されていることを示唆する。
【０２５８】
抑毛実証試験は、複数の実験条件として、光エネルギー密度、光の照射時間、光の照射サイクル、光の単位照射回数、光の合計照射回数、観察開始時期、および、経過観察時期を以下のとおり規定した。
【０２５９】
抑毛実証試験は、光エネルギー密度として、０．２（Ｊ／ｃｍ２）、１．０（Ｊ／ｃｍ２）、および、１．５（Ｊ／ｃｍ２）の３種類を設定した。光エネルギー密度は、一例として、光源３３に供給される電力量に基づいて測定することができる。
【０２６０】
抑毛実証試験は、光の照射時間として、０．６ｍｓ、１．０ｍｓ、および、２．０ｍｓの３種類を設定した。光の照射時間は、一例として、制御部６０から光源３３に出力される信号に基づいて測定することができる。
【０２６１】
抑毛実証試験は、光の照射サイクルとして、３０秒および６０秒の２種類を設定した。光の照射サイクルは、１日あたりの光の照射期間において、複合照射動作に基づく先の光の照射が終了してから、複合照射動作に基づく次の光の照射が開始されるまでの期間を示す。光の照射サイクルは、一例として、制御部６０から光源３３に出力される信号に基づいて測定することができる。
【０２６２】
抑毛実証試験は、光の単位照射回数として、４回／日および８回／日の２種類を設定した。光の単位照射回数は、体毛用光美容装置１０が観察対象部位に対して、１日あたりに複合照射動作により光を照射する回数を示す。
【０２６３】
抑毛実証試験は、光の合計照射回数として、１６回および３２回の２種類を設定した。光の合計照射回数は、光の単位照射回数、および、光を照射する日数を乗算した回数を示す。抑毛実証試験は、光を照射する日数を４日に設定している。
【０２６４】
抑毛実証試験は、観察開始時期として、光照射腕および非照射腕に観察対象部位を形成した直後の時期を設定した。抑毛実証試験は、観察開始時期において、光照射腕に最初の光の照射を実行した。最初の光の照射は、光の合計照射回数が１６回および３２回の両方の場合において、１回目の光の照射を示す。
【０２６５】
抑毛実証試験は、経過観察時期として、照射直後、３週間後、および、６週間後の３種類を設定した。抑毛実証試験は、光照射腕および非照射腕に対して同じ経過観察時期を設定した。光照射腕および非照射腕の経過観察時期は、任意の光照射腕に対する光の照射時期を基準として測定することができる。
【０２６６】
照射直後は、光照射腕に対する最後の光の照射が終了した直後を示す。照射直後は、光照射腕および非照射腕のそれぞれに観察対象部位を形成した直後から４日が経過した時期に相当する。３週間後は、光照射腕に対する最後の光の照射が終了した直後を基準の時期として、基準の時期から１８日が経過した直後を示す。６週間後は、最後の光の照射が終了した直後を基準の時期として、基準の時期から３６日が経過した直後を示す。最後の光の照射は、光の合計照射回数が１６回の場合、１６回目の光の照射を示し、光の合計照射回数が３２回の場合、３２回目の光の照射を示す。
【０２６７】
本願発明者は、光の照射サイクル、光の単位照射回数、および、光の合計照射回数を組み合わせて複数の抑毛実証試験の条件を設定した。複数の抑毛実証試験は、以下の第１抑毛実証試験、第２抑毛実証試験、第３抑毛実証試験、および、第４抑毛実証試験を含む。
【０２６８】
第１抑毛実証試験は、光の照射サイクルを３０秒に設定し、光の単位照射回数を４回／日に設定し、光の合計照射回数を１６回に設定した。［表５］は、第１抑毛実証試験により得られた測定結果を示す。
【０２６９】
第２抑毛実証試験は、光の照射サイクルを３０秒に設定し、光の単位照射回数を８回／日に設定し、光の合計照射回数を３２回に設定した。［表６］は、第２抑毛実証試験により得られた測定結果を示す。
【０２７０】
第３抑毛実証試験は、光の照射サイクルを６０秒に設定し、光の単位照射回数を４回／日に設定し、光の合計照射回数を１６回に設定した。［表７］は、第３抑毛実証試験により得られた測定結果を示す。
【０２７１】
第４抑毛実証試験は、光の照射サイクルを６０秒に設定し、光の単位照射回数を８回／日に設定し、光の合計照射回数を３２回に設定した。［表８］は、第４抑毛実証試験により得られた測定結果を示す。
【０２７２】
［表５］
2014212810.tif 000007
［表６］
2014212810.tif 000008
［表７］
2014212810.tif 000009
［表８］
2014212810.tif 000010
各表は、以下の事項を示唆している。以下の説明は、第１実施形態の抑毛率、第４実施形態の抑毛率、第５実施形態の抑毛率、および、比較例の抑毛率の用語を用いている。第１実施形態の抑毛率は、第１実施形態の体毛用光美容装置１０により得られた抑毛率を示す。第４実施形態の抑毛率は、第４実施形態の体毛用光美容装置１０により得られた抑毛率を示す。第５実施形態の抑毛率は、第５実施形態の体毛用光美容装置１０により得られた抑毛率を示す。比較例の抑毛率は、比較例の体毛用光美容装置により得られた抑毛率を示す。
【０２７３】
第１実施形態、第４実施形態、第５実施形態、および、比較例の抑毛率は、光エネルギー密度が高くなるにつれて小さい値を示す。第１実施形態、第４実施形態、および、第５実施形態の抑毛率は、光の照射直後から概ね比較例の抑毛率よりも小さい値を示す。第１実施形態、第４実施形態、および、第５実施形態の抑毛率は、光の照射直後の時期と経過観察時期との間隔が長くなるにつれて、より「０」に近い値を示す。第１実施形態、第４実施形態、および、第５実施形態の抑毛率は、光の照射直後の時期と経過観察時期との間隔が長くなるにつれて、比較例の抑毛率との差が大きくなる。すなわち、第１実施形態、第４実施形態、および、第５実施形態の体毛用光美容装置１０は、比較例の体毛用光美容装置よりも長い期間にわたり美容作用を促進させやすい。
【０２７４】
抑毛実証試験は、第１実施形態、第４実施形態、および、第５実施形態の体毛用光美容装置１０、ならびに、比較例の体毛用光美容装置が皮膚に及ぼす影響を定性的に評価するため、痛みに関する官能評価を実施した。官能評価は、経過観察時期としての照射直後において、光照射腕を有する各被験者に対して、光照射腕の痛みについてヒアリングした。官能評価は、痛みの強さを示すレベル（以下、「痛みレベル」）を７段階に区分し、被験者が感じた光照射腕の痛みの強さをいずれかの痛みレベルに分類した。痛みレベルの「１」は、被験者が感じた痛みの強さが最も小さいレベルを示す。痛みレベルの「７」は、被験者が感じた痛みの強さが最も大きいレベルを示す。［表９］は、官能評価により得られた測定結果を示す。
【０２７５】
［表９］
2014212810.tif 000011
官能評価の結果は、次の事項を示唆している。第１実施形態、第４実施形態、および、第５実施形態の体毛用光美容装置１０は、比較例の体毛用光美容装置と比較して被験者に痛みを覚えさせにくい。このことは、第１実施形態、第４実施形態、および、第５実施形態の体毛用光美容装置１０が、比較例の体毛用光美容装置と比較して、光の照射により皮膚に及ぼす悪影響が小さいことを示唆している。
【０２７６】
（課題を解決するための手段に関する付記）
課題を解決するための手段は、下記の〔付記項１〕〜〔付記項３〕を含む。なお、〔付記項１〕〜〔付記項３〕が有する事項は、各実施形態において開示された事項と対応している。
【０２７７】
〔付記項１〕
付記項１の体毛用光美容装置は、請求項１〜７のいずれか一項に記載の体毛用光美容装置において、次の事項を有する。前記第２照射光は、８５０ｎｍ〜１２００ｎｍの波長範囲における強度の積分値が４００ｎｍ〜８５０ｎｍの波長範囲における強度の積分値よりも大きい。
【０２７８】
〔付記項２〕
付記項２の体毛用光美容装置は、請求項１〜７のいずれか一項に記載の体毛用光美容装置において、次の事項を有する。前記第２照射光は、８５０ｎｍ〜１０００ｎｍの波長範囲における強度の積分値が４００ｎｍ〜８５０ｎｍの波長範囲における強度の積分値よりも大きい。
【０２７９】
〔付記項３〕
付記項３の体毛用光美容装置は、次の事項を有する。前記体毛用光美容装置は、第１照射光を照射する第１照射機能、および、第２照射光を照射する第２照射機能を有する。前記第１照射光は、４００ｎｍ〜８００ｎｍの波長範囲における強度の積分値が黒毛作用促進値以上の大きさを取る。前記第２照射光は、８００ｎｍ〜１２００ｎｍの波長範囲における強度の積分値が４００ｎｍ〜８００ｎｍの波長範囲における強度の積分値よりも大きい。
【符号の説明】
【０２８０】
１０…体毛用光美容装置
ＺＡ…第１照射光
ＺＢ…第２照射光
【図１】
2014212810.tif 000012
【図２】
2014212810.tif 000013
【図３】
2014212810.tif 000014
【図４】
2014212810.tif 000015
【図５】
2014212810.tif 000016
【図６】
2014212810.tif 000017
【図７】
2014212810.tif 000018
【図８】
2014212810.tif 000019
【図９】
2014212810.tif 000020
【図１０】
2014212810.tif 000021
【図１１】
2014212810.tif 000022
【図１２】
2014212810.tif 000023